(57)【特許請求の範囲】
【請求項１】
（ａ）プライマリ電源手段と、
（ｂ）セカンダリ電源手段と、
（ｃ）電力状態検出手段と、
（ｄ）デジタル制御交換ネットワーク手段と、
（ｅ）電力供給ユニット手段と、
（ｆ）被保護装置負荷手段と、を備え、
前記電力供給ユニット手段は、交流・直流電源を有し、
前記電力状態検出手段は、前記デジタル制御交換ネットワーク手段に電気的に接続され、前記プライマリ電源手段の電力状態条件を検出し、位相電力状態を生成するように構成され、
前記デジタル制御交換ネットワーク手段は、前記位相電力状態に基づいて、前記プライマリ電源手段、又はセカンダリ電源手段を前記交流・直流電源に電気的に接続させるように構成され、
前記交流・直流電源は、直流・交流ブーストコンバーターを有し、
前記直流・交流ブーストコンバーターは、ブーストコンバーター入力ポートと、ブーストコンバーター出力ポートとを有し、前記ブーストコンバーター入力ポートから交流電圧或いは直流電圧が入力されるように構成され、
前記交流・直流電源は更に直流・直流コンバーターを有し、
前記直流・直流コンバーターは、直流・直流コンバーター入力ポートと、直流・直流コンバーター出力ポートとを有し、前記直流・直流コンバーター入力ポートが前記ブーストコンバーター出力ポートと電気的に連結され、
前記被保護装置負荷手段は、被保護負荷装置と電気的に接続された直流・直流電源を有し、
前記直流・直流電源は、電力を供給するように前記直流・直流コンバーター出力ポートと電気的に連結している、
ことを特徴とする電源配置システム。
【請求項２】
前記プライマリ電源手段は、三相ＤＥＬＴＡ式電源を含む、ことを特徴とする請求項１に記載の電源配置システム。
【請求項３】
前記プライマリ電源手段は、三相ＷＹＥ式電源を含む、ことを特徴とする請求項１に記載の電源配置システム。
【請求項４】
前記被保護負荷装置は、コンピューティング装置を含む、ことを特徴とする請求項１に記載の電源配置システム。
【請求項５】
前記被保護負荷装置は、ネットワーク接続コンピューティングサーバーを含む、ことを特徴とする請求項１に記載の電源配置システム。
【請求項６】
前記プライマリ電源手段は、三相電源システムから位相電圧を得る単相ラインを含む、ことを特徴とする請求項１に記載の電源配置システム。
【請求項７】
前記セカンダリ電源手段は、ソーラーパネル、燃料電池、フライホイール及び代替可能なエネルギーから組み合わせたグループから選ばれたエネルギー源を含む、ことを特徴とする請求項１に記載の電源配置システム。
【請求項８】
前記セカンダリ電源手段は、バッテリーを含む、ことを特徴とする請求項１に記載の電源配置システム。
【請求項９】
前記セカンダリ電源手段は、鉛酸蓄電池、リチウムイオン二次電池、ニッケル・カドミウム蓄電池、ナトリウム・硫黄電池、レドックスフロー電池、及びアルカリ系電池からなるグループから選ばれた化学物質含有バッテリーを含む、ことを特徴とする請求項１に記載の電源配置システム。
【請求項１０】
前記プライマリ電源手段に直接電気的に連結される電力供給ユニット手段を更に含む、ことを特徴とする請求項１に記載の電源配置システム。
【請求項１１】
前記デジタル制御交換ネットワーク手段は、手動バイパススイッチを更に含む、ことを特徴とする請求項１に記載の電源配置システム。
【請求項１２】
前記デジタル制御交換ネットワーク手段は、自動バイパススイッチを更に含む、ことを特徴とする請求項１に記載の電源配置システム。
【請求項１３】
前記デジタル制御交換ネットワーク手段は、複数の冗長バイパススイッチを更に含む、ことを特徴とする請求項１に記載の電源配置システム。
【請求項１４】
前記セカンダリ電源手段は、バッテリーと充電用整流器とを更に含む、ことを特徴とする請求項１に記載の電源配置システム。
【請求項１５】
前記プライマリ電源手段は、バッテリーチャージャーとバッテリーの組み合わせに給電する交流電源を更に含む、ことを特徴とする請求項１に記載の電源配置システム。
【請求項１６】
前記プライマリ電源手段は、バッテリーチャージャーとバッテリーの組み合わせに給電する交流電源を含むと共に、前記バッテリーに直接電気的に連結される電力供給ユニットを組み入れている、ことを特徴とする請求項８に記載の電源配置システム。
【請求項１７】
前記プライマリ電源手段は、バッテリーチャージャーとバッテリーの組み合わせに給電する交流電源を含むと共に、前記プライマリ電源手段に直接電気的に連結される電力供給ユニットを組み入れている、ことを特徴とする請求項１に記載の電源配置システム。
【請求項１８】
前記電力供給ユニット手段に電力を供給する第３の電源として構成されたバッテリーを更に含む、ことを特徴とする請求項１に記載の電源配置システム。
【請求項１９】
前記電力供給ユニット手段に電力を供給する第３の電源として構成されたバッテリーを更に含むと共に、前記プライマリ電源手段に電気的に連結される保護されていない電力供給ユニットを組み入れている、ことを特徴とする請求項１に記載の電源配置システム。
【請求項２０】
ソーラーパネル、燃料電池、フライホイール及び代替可能なエネルギーから組み合わせたグループから選ばれたエネルギー源によって充電されるように構成されたバッテリーを更に含む、ことを特徴とする請求項１に記載の電源配置システム。
【請求項２１】
前記プライマリ電源手段は、バッテリーチャージャーとバッテリーの組み合わせに給電する交流電源を含むと共に、前記セカンダリ電源手段に直接電気的に連結された電力供給ユニットと、前記プライマリ電源手段及び前記交流電源に電気的に連結されたバイパススイッチとを組み入れている、ことを特徴とする請求項１に記載の電源配置システム。
【請求項２２】
前記プライマリ電源手段は、バッテリーチャージャーとバッテリーの組み合わせに給電する交流電源を含むと共に、前記セカンダリ電源手段に直接電気的に連結された電力供給ユニットと、前記電力供給ユニット手段及び前記交流電源に電気的に連結されたバイパススイッチと、前記交流電源に直接電気的に連結された電力供給ユニットとを組み入れている、ことを特徴とする請求項１に記載の電源配置システム。
【請求項２３】
前記プライマリ電源手段及び前記セカンダリ電源手段は、三相電源を含む、ことを特徴とする請求項１に記載の電源配置システム。
【請求項２４】
前記プライマリ電源手段は、三相電源を含み、
前記セカンダリ電源手段は、バッテリーを含む、ことを特徴とする請求項１に記載の電源配置システム。
【請求項２５】
前記プライマリ電源手段は、三相電源を含み、
前記セカンダリ電源手段は、バッテリーを含むと共に、前記三相電源に電気的に連結された三相充電用整流器を組み入れている、ことを特徴とする請求項１に記載の電源配置システム。
【請求項２６】
前記プライマリ電源手段は、三相電源を含み、
前記セカンダリ電源手段は、バッテリーを含むと共に、代替可能な他の三相電源に電気的に連結された三相充電用整流器を組み入れている、ことを特徴とする請求項１に記載の電源配置システム。
【請求項２７】
前記プライマリ電源手段は、三相電源を含み、
前記セカンダリ電源手段は、バッテリーを含むと共に、前記三相電源における単相に直接電気的に連結された電力供給ユニットを組み入れている、ことを特徴とする請求項１に記載の電源配置システム。
【請求項２８】
前記プライマリ電源手段は、三相電源を含み、
前記セカンダリ電源手段は、バッテリーと、代替可能な他の三相電源に電気的に連結された三相充電用整流器とを含むと共に、前記三相電源における単相に直接電気的に連結された電力供給ユニットを組み入れている、ことを特徴とする請求項１に記載の電源配置システム。
【請求項２９】
前記プライマリ電源手段は、三相電源を含み、
前記セカンダリ電源手段は、バッテリーと、代替可能な他の三相電源に電気的に連結された三相充電用整流器とを含むと共に、前記バッテリーにおける単相に直接電気的に連結された電力供給ユニットを組み入れている、ことを特徴とする請求項１に記載の電源配置システム。
【請求項３０】
前記プライマリ電源手段は、三相電源を含み、
前記セカンダリ電源手段は、バッテリーと、代替可能な他の三相電源に電気的に連結された三相充電用整流器とを含むと共に、前記バッテリーに直接電気的に連結されていない電力供給ユニットを組み入れている、ことを特徴とする請求項１に記載の電源配置システム。
【請求項３１】
プライマリ電源手段と、
セカンダリ電源手段と、
電力状態検出手段と、
デジタル制御交換ネットワーク手段と、
電力供給ユニット手段と、
被保護装置負荷手段と、を備え、
前記電力供給ユニット手段は、交流・直流電源を有し、
前記電力状態検出手段は、前記デジタル制御交換ネットワーク手段に電気的に接続され、前記プライマリ電源手段の電力状態条件を検出し、位相電力状態を生成するように構成され、
前記デジタル制御交換ネットワーク手段は、前記位相電力状態に基づいて、前記プライマリ電源手段、又はセカンダリ電源手段を前記交流・直流電源に電気的に接続させるように構成され、
前記交流・直流電源は、交流・直流ブーストコンバーターを有し、
前記交流・直流ブーストコンバーターは、ブーストコンバーター入力ポートと、ブーストコンバーター出力ポートとを有し、前記ブーストコンバーター入力ポートから交流電圧或いは直流電圧が入力されるように構成され、
前記交流・直流電源は更に直流・直流コンバーターを有し、
前記直流・直流コンバーターは、直流・直流コンバーター入力ポートと、直流・直流コンバーター出力ポートとを有し、前記直流・直流コンバーター入力ポートが前記ブーストコンバーター出力ポートと電気的に連結され、
前記被保護装置負荷手段は、被保護負荷装置と電気的に接続された直流・直流電源を有し、
前記直流・直流電源は、電力を供給するように前記直流・直流コンバーター出力ポートと電気的に連結している、電源配置システムと協同して実行される方法であって、
前記電力状態検出手段を用い、前記プライマリ電源手段の線間電圧の状態を監視するステップ（１）と、
前記電力状態検出手段を用い、前記セカンダリ電源手段の線間電圧の状態を監視するステップ（２）と、
前記プライマリ電源手段の線間電圧が予め定められた範囲内にあるかどうかを判定するステップ（３）と、
前記プライマリ電源手段の線間電圧が安定するまで待つステップ（４）と、
前記セカンダリ電源手段と前記電力供給ユニット手段との間を遮断するように前記デジタル制御交換ネットワーク手段を配置するステップ（５）と、
前記プライマリ電源手段が位相の変換を起こすまで待つステップ（６）と、
前記プライマリ電源手段と前記電力供給ユニット手段との間を導通させるように前記デジタル制御交換ネットワーク手段を配置すると共に、前記ステップ（１）を実行するステップ（７）と、
前記ステップ（３）において前記プライマリ電源手段の線間電圧が予め定められた範囲内でないと判定した場合、前記セカンダリ電源手段と前記電力供給ユニット手段との間を導通させるように前記デジタル制御交換ネットワーク手段を配置すると共に、前記ステップ（１）を実行するステップ（８）と、
前記セカンダリ電源手段が交流電源である場合、前記セカンダリ電源手段が位相変換するまで待機するステップ（９）と、
前記デジタル制御交換ネットワーク手段を起動し、前記セカンダリ電源手段を前記電力供給ユニット手段に連結させると共に、ステップ（１）を実行するステップ（１０）と、
を備えることを特徴とする電源配置方法。
【請求項３２】
前記プライマリ電源手段は、三相ＤＥＬＴＡ式電源を含む、ことを特徴とする請求項３１に記載の電源配置方法。
【請求項３３】
前記プライマリ電源手段は、三相ＷＹＥ式電源を含む、ことを特徴とする請求項３１に記載の電源配置方法。
【請求項３４】
前記被保護負荷装置は、コンピューティング装置を含む、ことを特徴とする請求項３１に記載の電源配置方法。
【請求項３５】
前記被保護負荷装置は、ネットワーク接続コンピューティングサーバーを含む、ことを特徴とする請求項３１に記載の電源配置方法。
【請求項３６】
前記プライマリ電源手段は、三相電源システムから位相電圧を得る単相ラインを含む、ことを特徴とする請求項３１に記載の電源配置方法。
【請求項３７】
前記セカンダリ電源手段は、ソーラーパネル、燃料電池、フライホイール及び代替可能なエネルギーから組み合わせたグループから選ばれたエネルギー源を含む、ことを特徴とする請求項３１に記載の電源配置方法。
【請求項３８】
前記セカンダリ電源手段は、バッテリーを含む、ことを特徴とする請求項３１に記載の電源配置方法。
【請求項３９】
前記セカンダリ電源手段は、鉛酸蓄電池、リチウムイオン二次電池、ニッケル・カドミウム蓄電池、ナトリウム・硫黄電池、レドックスフロー電池、及びアルカリ系電池からなるグループから選ばれた化学物質含有バッテリーを含む、ことを特徴とする請求項３１に記載の電源配置方法。
【請求項４０】
前記プライマリ電源手段に直接電気的に連結される電力供給ユニット手段を更に含む、ことを特徴とする請求項３１に記載の電源配置方法。
【請求項４１】
前記デジタル制御交換ネットワーク手段は、手動バイパススイッチを更に含む、ことを特徴とする請求項３１に記載の電源配置方法。
【請求項４２】
前記デジタル制御交換ネットワーク手段は、自動バイパススイッチを更に含む、ことを特徴とする請求項３１に記載の電源配置方法。
【請求項４３】
前記デジタル制御交換ネットワーク手段は、複数の冗長バイパススイッチを更に含む、ことを特徴とする請求項３１に記載の電源配置方法。
【請求項４４】
前記セカンダリ電源手段は、バッテリーと充電用整流器とを更に含む、ことを特徴とする請求項３１に記載の電源配置方法。
【請求項４５】
前記プライマリ電源手段は、バッテリーチャージャーとバッテリーの組み合わせに給電する交流電源を更に含む、ことを特徴とする請求項３１に記載の電源配置方法。
【請求項４６】
前記プライマリ電源手段は、バッテリーチャージャーとバッテリーの組み合わせに給電する交流電源を含むと共に、前記バッテリーに直接電気的に連結される電力供給ユニットを組み入れている、ことを特徴とする請求項３１に記載の電源配置方法。
【請求項４７】
前記プライマリ電源手段は、バッテリーチャージャーとバッテリーの組み合わせに給電する交流電源を含むと共に、前記プライマリ電源手段に直接電気的に連結される電力供給ユニットを組み入れている、ことを特徴とする請求項３１に記載の電源配置方法。
【請求項４８】
前記電力供給ユニット手段に電力を供給する第３の電源として構成されたバッテリーを更に含む、ことを特徴とする請求項３１に記載の電源配置方法。
【請求項４９】
前記電力供給ユニット手段に電力を供給する第３の電源として構成されたバッテリーを更に含むと共に、前記プライマリ電源手段に電気的に連結される保護されていない電力供給ユニットを組み入れている、ことを特徴とする請求項３１に記載の電源配置方法。
【請求項５０】
ソーラーパネル、燃料電池、フライホイール及び代替可能なエネルギーから組み合わせたグループから選ばれたエネルギー源によって充電されるように構成されたバッテリーを更に含む、ことを特徴とする請求項３１に記載の電源配置方法。
【請求項５１】
前記プライマリ電源手段は、バッテリーチャージャーとバッテリーの組み合わせに給電する交流電源を含むと共に、前記セカンダリ電源手段に直接電気的に連結された電力供給ユニットと、前記プライマリ電源手段及び前記交流電源に電気的に連結されたバイパススイッチとを組み入れている、ことを特徴とする請求項３１に記載の電源配置方法。
【請求項５２】
前記プライマリ電源手段は、バッテリーチャージャーとバッテリーの組み合わせに給電する交流電源を含むと共に、前記セカンダリ電源手段に直接電気的に連結された電力供給ユニットと、前記電力供給ユニット手段及び前記交流電源に電気的に連結されたバイパススイッチと、前記交流電源に直接電気的に連結された電力供給ユニットとを組み入れている、ことを特徴とする請求項３１に記載の電源配置方法。
【請求項５３】
前記プライマリ電源手段及び前記セカンダリ電源手段は、三相電源を含む、ことを特徴とする請求項３１に記載の電源配置方法。
【請求項５４】
前記プライマリ電源手段は、三相電源を含み、
前記セカンダリ電源手段は、バッテリーを含む、ことを特徴とする請求項３１に記載の電源配置方法。
【請求項５５】
前記プライマリ電源手段は、三相電源を含み、
前記セカンダリ電源手段は、バッテリーを含むと共に、前記三相電源に電気的に連結された三相充電用整流器を組み入れている、ことを特徴とする請求項３１に記載の電源配置方法。
【請求項５６】
前記プライマリ電源手段は、三相電源を含み、
前記セカンダリ電源手段は、バッテリーを含むと共に、代替可能な他の三相電源に電気的に連結された三相充電用整流器を組み入れている、ことを特徴とする請求項３１に記載の電源配置方法。
【請求項５７】
前記プライマリ電源手段は、三相電源を含み、
前記セカンダリ電源手段は、バッテリーを含むと共に、前記三相電源における単相に直接電気的に連結された電力供給ユニットを組み入れている、ことを特徴とする請求項３１に記載の電源配置方法。
【請求項５８】
前記プライマリ電源手段は、三相電源を含み、
前記セカンダリ電源手段は、バッテリーと、代替可能な他の三相電源に電気的に連結された三相充電用整流器とを含むと共に、前記三相電源における単相に直接電気的に連結された電力供給ユニットを組み入れている、ことを特徴とする請求項３１に記載の電源配置方法。
【請求項５９】
前記プライマリ電源手段は、三相電源を含み、
前記セカンダリ電源手段は、バッテリーと、代替可能な他の三相電源に電気的に連結された三相充電用整流器とを含むと共に、前記バッテリーの単相に直接電気的に連結された電力供給ユニットを組み入れている、ことを特徴とする請求項３１に記載の電源配置方法。
【請求項６０】
前記プライマリ電源手段は、三相電源を含み、
前記セカンダリ電源手段は、バッテリーと、代替可能な他の三相電源に電気的に連結された三相充電用整流器とを含むと共に、前記バッテリーに直接電気的に連結されていない電力供給ユニットを組み入れている、ことを特徴とする請求項３１に記載の電源配置方法。
【請求項６１】
電源配置システムと協同して行う電源配置方法をコンピューターに実行させるためのプログラムを含む、コンピューター読み取り可能な記録媒体であって、
前記電源配置システムは、
プライマリ電源手段と、
セカンダリ電源手段と、
電力状態検出手段と、
デジタル制御交換ネットワーク手段と、
電力供給ユニット手段と、
被保護装置負荷手段と、を備え、
前記電力供給ユニット手段は、交流・直流電源を有し、
前記電力状態検出手段は、前記デジタル制御交換ネットワーク手段に電気的に接続され、前記プライマリ電源手段の電力状態条件を検出し、位相電力状態を生成するように構成され、
前記デジタル制御交換ネットワーク手段は、前記位相電力状態に基づいて、前記プライマリ電源手段、又はセカンダリ電源手段を前記交流・直流電源に電気的に接続させるように構成され、
前記交流・直流電源は、直流・交流ブーストコンバーターを有し、
前記直流・交流ブーストコンバーターは、ブーストコンバーター入力ポートと、ブーストコンバーター出力ポートとを有し、前記ブーストコンバーター入力ポートから交流電圧或いは直流電圧が入力されるように構成され、
前記交流・直流電源は更に直流・直流コンバーターを有し、
前記直流・直流コンバーターは、直流・直流コンバーター入力ポートと、直流・直流コンバーター出力ポートとを有し、前記直流・直流コンバーター入力ポートが前記ブーストコンバーター出力ポートと電気的に連結され、
前記被保護装置負荷手段は、被保護負荷装置と電気的に接続された直流・直流電源を有し、
前記直流・直流電源は、電力を供給するように前記直流・直流コンバーター出力ポートと電気的に連結しているように構成され、
前記電源配置方法は、
前記電力状態検出手段を用い、前記プライマリ電源手段の線間電圧の状態を監視するステップ（１）と、
前記電力状態検出手段を用い、前記セカンダリ電源手段の線間電圧の状態を監視するステップ（２）と、
前記プライマリ電源手段の線間電圧が予め定められた範囲内にあるかどうかを判定するステップ（３）と、
前記プライマリ電源手段の線間電圧が安定するまで待つステップ（４）と、
前記セカンダリ電源手段と前記電力供給ユニット手段との間を遮断するように前記デジタル制御交換ネットワーク手段を配置するステップ（５）と、
前記プライマリ電源手段が位相の変換を起こすまで待つステップ（６）と、
前記プライマリ電源手段と前記電力供給ユニット手段との間を導通させるように前記デジタル制御交換ネットワーク手段を配置すると共に、前記ステップ（１）を実行するステップ（７）と、
前記ステップ（３）において前記プライマリ電源手段の線間電圧が予め定められた範囲内でないと判定した場合、前記セカンダリ電源手段と前記電力供給ユニット手段との間を導通させるように前記デジタル制御交換ネットワーク手段を配置すると共に、前記ステップ（１）を実行するステップ（８）と、
前記セカンダリ電源手段が交流電源である場合、前記セカンダリ電源手段が位相変換するまで待機するステップ（９）と、
前記デジタル制御交換ネットワーク手段を起動し、前記セカンダリ電源手段を前記電力供給ユニット手段に連結させると共に、ステップ（１）を実行するステップ（１０）と、を備える、ことを特徴とするコンピューター読み取り可能な記録媒体。
【請求項６２】
前記プライマリ電源手段は、三相ＤＥＬＴＡ式電源を含む、ことを特徴とする請求項６１に記載の記録媒体。
【請求項６３】
前記プライマリ電源手段は、三相ＷＹＥ式電源を含む、ことを特徴とする請求項６１に記載の記録媒体。
【請求項６４】
前記被保護負荷装置は、コンピューティング装置を含む、ことを特徴とする請求項６１に記載の記録媒体。
【請求項６５】
前記被保護負荷装置は、ネットワーク接続コンピューティングサーバーを含む、ことを特徴とする請求項６１に記載の記録媒体。
【請求項６６】
前記プライマリ電源手段は、三相電源システムから位相電圧を得る単相ラインを含む、ことを特徴とする請求項６１に記載の記録媒体。
【請求項６７】
前記セカンダリ電源手段は、ソーラーパネル、燃料電池、フライホイール及び代替可能なエネルギーから組み合わせたグループから選ばれたエネルギー源を含む、ことを特徴とする請求項６１に記載の記録媒体。
【請求項６８】
前記セカンダリ電源手段は、バッテリーを含む、ことを特徴とする請求項６１に記載の記録媒体。
【請求項６９】
前記セカンダリ電源手段は、鉛酸蓄電池、リチウムイオン二次電池、ニッケル・カドミウム蓄電池、ナトリウム・硫黄電池、レドックスフロー電池、及びアルカリ系電池からなるグループから選ばれた化学物質含有バッテリーを含む、ことを特徴とする請求項６１に記載の記録媒体。
【請求項７０】
前記プライマリ電源手段に直接電気的に連結される電力供給ユニット手段を更に含む、ことを特徴とする請求項６１に記載の記録媒体。
【請求項７１】
前記デジタル制御交換ネットワーク手段は、手動バイパススイッチを更に含む、ことを特徴とする請求項６１に記載の記録媒体。
【請求項７２】
前記デジタル制御交換ネットワーク手段は、自動バイパススイッチを更に含む、ことを特徴とする請求項６１に記載の記録媒体。
【請求項７３】
前記デジタル制御交換ネットワーク手段は、複数の冗長バイパススイッチを更に含む、ことを特徴とする請求項６１に記載の記録媒体。
【請求項７４】
前記セカンダリ電源手段は、バッテリーと充電用整流器とを更に含む、ことを特徴とする請求項６１に記載の記録媒体。
【請求項７５】
前記プライマリ電源手段は、バッテリーチャージャーとバッテリーの組み合わせに給電する交流電源を更に含む、ことを特徴とする請求項６１に記載の記録媒体。
【請求項７６】
前記プライマリ電源手段は、バッテリーチャージャーとバッテリーの組み合わせに給電する交流電源を含むと共に、前記バッテリーに直接電気的に連結される電力供給ユニットを組み入れている、ことを特徴とする請求項６１に記載の記録媒体。
【請求項７７】
前記プライマリ電源手段は、バッテリーチャージャーとバッテリーの組み合わせに給電する交流電源を含むと共に、前記プライマリ電源手段に直接電気的に連結される電力供給ユニットを組み入れている、ことを特徴とする請求項６１に記載の記録媒体。
【請求項７８】
前記電力供給ユニット手段に電力を供給する第３の電源として構成されたバッテリーを更に含む、ことを特徴とする請求項６１に記載の記録媒体。
【請求項７９】
前記電力供給ユニット手段に電力を供給する第３の電源として構成されたバッテリーを更に含むと共に、前記プライマリ電源手段に電気的に連結される保護されていない電力供給ユニットを組み入れている、ことを特徴とする請求項６１に記載の記録媒体。
【請求項８０】
ソーラーパネル、燃料電池、フライホイール及び代替可能なエネルギーから組み合わせたグループから選ばれたエネルギー源によって充電されるように構成されたバッテリーを更に含む、ことを特徴とする請求項６１に記載の記録媒体。
【請求項８１】
前記プライマリ電源手段は、バッテリーチャージャーとバッテリーの組み合わせに給電する交流電源を含むと共に、前記セカンダリ電源手段に直接電気的に連結された電力供給ユニットと、前記プライマリ電源手段及び前記交流電源に電気的に連結されたバイパススイッチとを組み入れている、ことを特徴とする請求項６１に記載の記録媒体。
【請求項８２】
前記プライマリ電源手段は、バッテリーチャージャーとバッテリーの組み合わせに給電する交流電源を含むと共に、前記セカンダリ電源手段に直接電気的に連結された電力供給ユニットと、前記電力供給ユニット手段及び前記交流電源に電気的に連結されたバイパススイッチと、前記交流電源に直接電気的に連結された電力供給ユニットとを組み入れている、ことを特徴とする請求項６１に記載の記録媒体。
【請求項８３】
前記プライマリ電源手段及び前記セカンダリ電源手段は、三相電源を含む、ことを特徴とする請求項６１に記載の記録媒体。
【請求項８４】
前記プライマリ電源手段は、三相電源を含み、
前記セカンダリ電源手段は、バッテリーを含む、ことを特徴とする請求項６１に記載の記録媒体。
【請求項８５】
前記プライマリ電源手段は、三相電源を含み、
前記セカンダリ電源手段は、バッテリーを含むと共に、前記三相電源に電気的に連結された三相充電用整流器を組み入れている、ことを特徴とする請求項６１に記載の記録媒体。
【請求項８６】
前記プライマリ電源手段は、三相電源を含み、
前記セカンダリ電源手段は、バッテリーを含むと共に、代替可能な他の三相電源に電気的に連結された三相充電用整流器を組み入れている、ことを特徴とする請求項６１に記載の記録媒体。
【請求項８７】
前記プライマリ電源手段は、三相電源を含み、
前記セカンダリ電源手段は、バッテリーを含むと共に、前記三相電源における単相に直接電気的に連結された電力供給ユニットを組み入れている、ことを特徴とする請求項６１に記載の記録媒体。
【請求項８８】
前記プライマリ電源手段は、三相電源を含み、
前記セカンダリ電源手段は、バッテリーと、代替可能な他の三相電源に電気的に連結された三相充電用整流器とを含むと共に、前記三相電源における単相に直接電気的に連結された電力供給ユニットを組み入れている、ことを特徴とする請求項６１に記載の記録媒体。
【請求項８９】
前記プライマリ電源手段は、三相電源を含み、
前記セカンダリ電源手段は、バッテリーと、代替可能な他の三相電源に電気的に連結された三相充電用整流器とを含むと共に、前記バッテリーにおける単相に直接電気的に連結された電力供給ユニットを組み入れている、ことを特徴とする請求項６１に記載の記録媒体。
【請求項９０】
前記プライマリ電源手段は、三相電源を含み、
前記セカンダリ電源手段は、バッテリーと、代替可能な他の三相電源に電気的に連結された三相充電用整流器とを含むと共に、前記バッテリーに直接電気的に連結されていない電力供給ユニットを組み入れている、ことを特徴とする請求項６１に記載の記録媒体。
【発明の詳細な説明】
【技術分野】
【０００１】
本発明は、無停電での電力供給に関連する技術に関し、特には、大型コンピューティングデータセンターに適用される無停電電力供給技術に関連する電源配置システム、電源配置方法及びコンピュータ読み取り可能な記録媒体に関する。
【背景技術】
【０００２】
現代のデータセンターでは、電力供給ユニット（ｐｏｗｅｒ  ｓｕｐｐｌｙ  ｕｎｉｔｓ，  ＰＳＵ）によって給電される負荷装置（ＬＤ）を保護するように、無停電で絶え間なく電力を供給しなければならない。負荷装置に無停電で絶え間なく電力を供給する要請を満足するために電力供給ユニットが幾つかの形で配置される構成がすでに開示されている（例えば、特許文献１〜３参照）が、なおも改善されるところがある。
【先行技術文献】
【特許文献】
【０００３】
【特許文献１】米国特許出願第６１／９２２，３１１号
【特許文献２】米国特許出願第１４／４６１，１１０号
【特許文献３】米国特許出願第１４／５０９，４５４号
【発明の概要】
【発明が解決しようとする課題】
【０００４】
本発明は、上記事情に鑑みてなされたものであり、大型コンピューティングデータセンターに絶え間なく電力を供給するための電源配置システム、電源配置方法及びコンピュータに読み取り可能な記録媒体を提供することを目的とする。
【０００５】
本発明は、交流・直流電源の配置を拡張するために幾つかの実施例に係る電源配置システム及び方法を提供する。なお、交流・直流電源の配置は、特許文献１、２に開示された内容をここに援用し、詳細な説明を省略する。本発明は、複数の給電源（ｐｏｗｅｒ  ｓｕｐｐｌｙ  ｓｏｕｒｃｅｓ／ＰＳＳ）を監視すると共に、複数の給電源をデジタル制御して被保護負荷装置（ｐｒｏｔｅｃｔｅｄ  ｌｏａｄ  ｄｅｖｉｃｅｓ／ＰＬＤ）に給電する交流・直流電源に切り替えることによって、無停電で絶え間なく被保護負荷装置に給電することを確保することができる。
【課題を解決するための手段】
【０００６】
本発明に係る電源配置システムは、プライマリ電源手段と、セカンダリ電源手段と、電力状態検出手段と、デジタル制御交換ネットワーク手段と、電力供給ユニット手段と、被保護装置負荷（ＰＤＬ）手段と、を備え、前記電力供給ユニット手段は、交流・直流電源を有し、前記電力状態検出手段は、前記デジタル制御交換ネットワーク手段に電気的に接続され、前記プライマリ電源手段の電力状態条件を検出し、位相電力状態を生成するように構成され、前記デジタル制御交換ネットワーク手段は、前記位相電力状態に基づいて、前記プライマリ電源手段、又はセカンダリ電源手段を交流・直流電源に電気的に接続させるように構成され、前記交流・直流電源は、直流・交流ブーストコンバーターを有し、前記直流・交流ブーストコンバーターは、ブーストコンバーター入力ポートと、ブーストコンバーター出力ポートとを有し、前記ブーストコンバーター入力ポートから交流電圧或いは直流電圧が入力されるように構成され、前記交流・直流電源は更に直流・直流コンバーターを有し、前記直流・直流コンバーターは、直流・直流コンバーター入力ポートと、直流・直流コンバーター出力ポートとを有し、前記直流・直流コンバーター入力ポートが前記ブーストコンバーター出力ポートと電気的に連結され、前記被保護装置負荷手段は、被保護負荷装置と電気的に接続された直流・直流電源を有し、前記直流・直流電源は、電力を供給するように前記直流・直流コンバーター出力ポートと電気的に連結している、ことを特徴とする。
【０００７】
また、本発明に係る電源配置方法は、本発明に係る電源配置システムと協同して実行される方法であって、前記電力状態検出手段を用い、前記プライマリ電源手段の線間電圧の状態を監視するステップ（１）と、前記電力状態検出手段を用い、前記セカンダリ電源手段の線間電圧の状態を監視するステップ（２）と、前記プライマリ電源手段の線間電圧が予め定められた範囲内にあるかどうかを判定するステップ（３）と、前記プライマリ電源手段の線間電圧が安定するまで待つステップ（４）と、前記セカンダリ電源手段と前記電力供給ユニット手段との間を遮断するように前記デジタル制御交換ネットワーク手段を配置するステップ（５）と、前記プライマリ電源手段が位相の変換を起こすまで待つステップ（６）と、前記プライマリ電源手段と前記電力供給ユニット手段との間を導通させるように前記デジタル制御交換ネットワーク手段を配置すると共に、前記ステップ（１）を実行するステップ（７）と、前記ステップ（３）において前記プライマリ電源手段の線間電圧が予め定められた範囲内でないと判定した場合、前記セカンダリ電源手段と前記電力供給ユニット手段との間を導通させるように前記デジタル制御交換ネットワーク手段を配置すると共に、前記ステップ（１）を実行するステップ（８）と、前記セカンダリ電源手段が交流電源である場合、前記セカンダリ電源手段が位相変換するまで待機するステップ（９）と、前記デジタル制御切換えネットワーク手段を起動し、前記セカンダリ電源手段を前記電力供給ユニット手段に連結させると共に、ステップ（１）を実行するステップ（１０）と、を備えることを特徴とする。
【発明の効果】
【０００８】
本発明に係る電源配置システム及びその方法によれば、被保護負荷装置に対してデジタル制御された無停電電力供給装置を提供することができる。被保護負荷装置は、一つ或いは複数の給電源によってサービスされた電力供給ユニットとして構成されている。本発明には、それぞれの電源の状況を判定する電力状態検出（ＰＣＳ）回路によって監視される複数の給電源が含まれている。また、いずれかの給電源が利用不能な場合、給電源及び被保護負荷装置の連結を再構成して正確なルートを介して給電源から被保護負荷装置に電力を供給することができるように、この物理状態情報がデジタル制御切換えネットワークに用いられる。デジタル制御切換えネットワークは給電源から位相／電圧状態情報が入力された場合、給電源と被保護負荷装置との間の電流が同期的に流れることを確保することができると共に、給電源が切換えの間において適切に保護される。
【図面の簡単な説明】
【０００９】
【図１】本発明の一つの好ましい実施例に係るシステムの構成を示すブロック図である。
【図２】本発明の一つの好ましい実施例に係る方法を示すフローチャートである。
【図３】本発明に係るシステムにおける電力状態検出器を示すブロック図である。
【図４】本発明に係るシステムにおける電力状態検出器による波形及び制御信号を示す図である。
【図５】本発明に係るシステムにおけるゼロ交差検出器を示す図である。
【図６】本発明に係るシステムにおける複数のプライマリ電源の電圧検出構成を示す図である。
【図７】本発明に係る無停電電力供給システムの統合を示す図である。
【図８】本発明に係るシステムにおけるデジタル制御切換えネットワークの実施例を示す図である。
【図９】デュアル交流入力システムの電源配置バックアップ構成を示す図である。
【図１０】図９における電源及びスイッチによる電力状態の検出を示す図である。
【図１１】デュアル交流入力システムの電源配置バックアップ構成を示す図である。
【図１２】図１１における電源及びスイッチによる電力状態の検出を示す図である。
【図１３】デュアル交流入力システムの電源配置バックアップ構成を示す図である。
【図１４】図１３における電源及びスイッチによる電力状態の検出を示す図である。
【図１５】デュアル交流入力システムの電源配置バックアップ構成を示す図である。
【図１６】図１５における電源及びスイッチによる電力状態の検出を示す図である。
【図１７】デュアル交流入力システムの電源配置バックアップ構成を示す図である。
【図１８】図１７における電源及びスイッチによる電力状態の検出を示す図である。
【図１９】デュアル交流入力システムの電源配置バックアップ構成を示す図である。
【図２０】図１９における電源及びスイッチによる電力状態の検出を示す図である。
【図２１】デュアル交流入力システムの電源配置バックアップ構成を示す図である。
【図２２】図２１における電源及びスイッチによる電力状態の検出を示す図である。
【図２３】デュアル交流入力システムの電源配置バックアップ構成を示す図である。
【図２４】図２３における電源及びスイッチによる電力状態の検出を示す図である。
【図２５】デュアル交流入力システムの電源配置バックアップ構成を示す図である。
【図２６】図２５における電源及びスイッチによる電力状態の検出を示す図である。
【図２７】デュアル交流・直流入力システムの電源配置バックアップ構成を示す図である。
【図２８】図２７における電源及びスイッチによる電力状態の検出を示す図である。
【図２９】デュアル交流・直流入力システムの電源配置バックアップ構成を示す図である。
【図３０】図２９における電源及びスイッチによる電力状態の検出を示す図である。
【図３１】デュアル交流・直流・代替可能なエネルギー入力システムの電源配置バックアップ構成を示す図である。
【図３２】図３１における電源及びスイッチによる電力状態の検出を示す図である。
【図３３】デュアル交流入力システムの電源配置バックアップ構成を示す図である。
【図３４】図３３における電源及びスイッチによる電力状態の検出を示す図である。
【図３５】デュアル交流入力システムの電源配置バックアップ構成を示す図である。
【図３６】図３５における電源及びスイッチによる電力状態の検出を示す図である。
【図３７】デュアル三相交流入力システムの電源配置バックアップ構成を示す図である。
【図３８】図３７における電源及びスイッチによる電力状態の検出を示す図である。
【図３９】三相交流・電池入力システムの電源配置バックアップ構成を示す図である。
【図４０】図３９における電源及びスイッチによる電力状態の検出を示す図である。
【図４１】三相交流・電池・整流器入力システムの電源配置バックアップ構成を示す図である。
【図４２】図４１における電源及びスイッチによる電力状態の検出を示す図である。
【図４３】三相交流・電池・整流器入力システムの電源配置バックアップ構成を示す図である。
【図４４】図４３における電源及びスイッチによる電力状態の検出を示す図である。
【図４５】三相交流・電池・整流器入力システムの電源配置バックアップ構成を示す図である。
【図４６】図４５における電源及びスイッチによる電力状態の検出を示す図である。
【図４７】三相交流・電池・整流器入力システムの電源配置バックアップ構成を示す図である。
【図４８】図４７における電源及びスイッチによる電力状態の検出を示す図である。
【発明を実施するための形態】
【００１０】
以下、添付する図面を参照して本発明を説明する。しかしながら、各図面が例示と説明のためだけに提供されており、本発明を制限することを意図していないことは特に理解されるべきである。
【００１１】
本発明は、色々な異なる形で実践することができるが、全ての図面、またこれから説明する本発明の好ましい実施例における、これらの開示は本発明に対する原理の例示的なものと見なされるべきであって、本発明の広い観点がこれらの実施例に制限されるものであると解釈されるべきではない。
【００１２】
本発明のいくつかの新規的な教示は、とりわけ好ましい実施例を参照して記述し、これらの新規的な教示が電源配置システム及び方法の特定的問題に対して有利に応用されるが、開示される実施例は単にこれらの新規的な教示において有利な用途の一つの例であると理解されるべきである。本願明細書に開示されている特定の構造及び機能の詳細は、本発明を制限するものではない。また、本発明におけるいくつかの記述は、いくつかの発明の特徴に適用できるが他の発明の特徴に適用されないこともあると理解されるべきである。
【００１３】
以下、本発明におけるいくつかの実施例について図面を参照して説明する。なお、同一構成及び機能を有する構成要素については、同一番号を付してその説明を省略する。
【００１４】
＜変換方法は限定されない(Switch Methodology Not Limitive)＞
次に、色々なブーストコンバーターのトポロジー構成を論議するが、これらのブーストコンバーターは、アプリケーションコンテキストに基づいて好ましいものである。これらのコンバーター・トポロジーは、ＭＯＳＦＥＴ電気スイッチを含んで示されるが、本発明はこれに制限されず、例えばバイポーラトランジスタ、ＭＯＳＦＥＴ、ＩＧＢＴなどの電気スイッチを含む例でもよい。
【００１５】
＜制御システムは限定されない(Control System Not Limitive)＞
本願において記述する電力制御器を実現するときは、本発明は色々な構造を用いることができる。複数の好ましい実施例は、コンピュータシステムが一時的でない有形のコンピューター読み取り可能記録媒体から読み取られた機械命令を実施するようにコンピュータ化された制御メカニズムを用いる。
【００１６】
＜電力供給ユニットの限定(PSU Limitive)＞
本発明は、給電源（ＰＳＳ）及び被保護負荷装置（ＰＬＤ）の間の制御された連結について説明する。この説明において、被保護負荷装置は、電力供給ユニット(Power Supply Unit(PSU))の技術範囲内に限定され、該電力供給ユニットは、米国特許仮出願(United States Provisional Patent Application)の無停電電力供給システム及び方法(UNINTERRUPTABLE POWER SUPPLY SYSTEM AND METHOD／発明者：Victor K. J. Lee、米国出願日(filed electronically)：12／31／2013、出願番号：61／922,311、EFS ID 17788637、確認番号(confirmation number)：8260、Docket AKJIM.0102)（特許文献１）に開示されており、本願明細書に援用される。これにより、かかるシステムは、該仮出願において開示された無停電電力供給（ＵＰＳ）システムの“先端（front-end）とする。
【００１７】
＜デジタル制御切換えネットワークの限定(DSN Timing Limitive)＞
本発明は、給電源（ＰＳＳ）及び被保護負荷装置（Protected Load Devices／ＰＬＤ）の間の制御された連結について説明し、被保護負荷装置（ＰＬＤ）は、電力状態検出（Power Condition Sensing／ＰＣＳ）回路の入力によるデジタル制御切換えネットワーク(Digital controlled Switching Network／ＤＳＮ)の利用を介して、電力供給ユニット（ＰＳＵ）によるサービスを受ける。上記の切換えタイミングは、給電源及び電力供給ユニットの間の連結の再構成が一つ〜二つの交流位相周期内で実行される。なお、このタイミング切換えの要請は、５０Ｈｚの交流システムではほぼ０.０２０〜０.０４０秒、６０Ｈｚの交流システムではほぼ０.０１７〜０.０３５秒かかる。上記限定は上記のようなハードウェア或いは同等な装置を利用して実行され得るが、作業員などの手動操作では実行されない。このため、本発明及びかかるクレームは切換えタイミングの要請を満たすことが可能である自動化ハードウェア手段に明確的に限定される。
【００１８】
＜システムの概要（０１００）＞
図１（０１００）には、本発明に係るシステムにおける一つの模範的な好ましい実施例を示している。この実施例では、複数の給電源（ＰＳＳ）０１１０、０１１１、０１１９は概ね一つのプライマリ電源（Primary Power Source／ＰＰＳ）とセカンダリ電源（Secondary Power Source／ＳＰＳ）とを含み、電力供給ユニット（ＰＳＵ）０１４０、０１４１、０１４９へ電力を供給するようになっている。電力供給ユニット０１４０、０１４１、０１４９は、一つ又は複数の被保護負荷装置（ＰＬＤ）０１５０、０１５１、０１５９に電力を供給するようになっている。複数の給電源０１１０、０１１１、０１１９は、電力状態検出回路０１２０による、複数の給電源０１１０、０１１１、０１１９と複数の電力供給ユニット０１４０、０１４１、０１４９とを連結させるデジタル制御切換えネットワーク０１３０への入力によって、監視される。
【００１９】
複数の電力供給ユニット０１４０、０１４１、０１４９は、交流・直流電力を供給するものであって、発明名称が無停電電力供給システム及び方法であり、発明者がVictor K. J. Lee、特許出願番号が14／461,110、出願日が8／15／2014である米国特許出願（特許文献２）及び、発明者がVictor K. J. Lee、特許出願番号が14／509,454、出願日が10／8／2014である米国特許出願（特許文献３）に詳しく開示されており、本明細書に援用される。この実施例では、上記各特許出願に記載された無停電電力供給システムを配置することによって、給電源経由の電力供給ユニットへのフェイルオーバーの切換え（failover switching）によって被保護負荷装置に停電時電力を供給するサービスを提供する。フェイルオーバーは、給電源の電力状態を監視する電力状態検出回路０１２０と給電源及び電力供給ユニットの間を連結させるデジタル制御切換えネットワーク０１３０とを含む。
【００２０】
また、特許文献２と特許文献３に開示されているように、電力制御器０１９０の使用は、マイクロコントローラデジタルコンピューティングデバイス０１９１を含むもので、コンピューター読み取り可能な記録媒体０１９２に読み取られた機械命令を実行することによって、電力状態検出回路０１２０及びデジタル制御切換えネットワーク０１３０と合わせて、給電源０１１０、０１１１、０１１９及び交流・直流電力供給ユニット０１４０、０１４１、０１４９間の電力連結や、交流・直流電力供給ユニット０１４０、０１４１、０１４９から電力を供給される被保護負荷装置０１５０、０１５１、０１５９との間の電力連結を構成するように使用され得る。なお、デジタルコンピューティングデバイス０１９１は、デジタル制御切換えネットワーク０１３０を起動したり配置したりするために、電力状態検出回路０１２０及び制御インターフェイスを組み入れたり拡張したりするように用いられる。
【００２１】
＜方法の概要（０２００）＞
図２（０２００）は、図１（０１００）に示されたシステムに模範的に関連された全般的な方法を示している。該方法は、
（１）  電力状態検出回路でプライマリ電源からの線間電圧の状態を監視するステップ０２０１と、
（２）  電力状態検出回路でセカンダリ電源からの線間電圧の状態を監視するステップ０２０２と、
（３）  プライマリ電源電圧が予め決められた範囲内であるか否かを判定し、否である場合には下記のステップ０２０８に移行するステップ０２０３と、
（４）  プライマリ電源電圧が安定化するまで待機するステップ０２０４と、
（５）  デジタル制御切換えネットワークを起動し、電力供給ユニットとセカンダリ電源との連結を遮断するステップ０２０５と、
（６）  プライマリ電源が位相変換するまで待機するステップ０２０６と、
（７）  デジタル制御切換えネットワークを起動し、プライマリ電源を電力供給ユニットに連結させると共に、ステップ０２０１を実行するステップ０２０７と、
（８）  デジタル制御切換えネットワークを起動し、電力供給ユニットとプライマリ電源との連結を遮断するステップ０２０８と、
（９）  セカンダリ電源が交流電源である場合、セカンダリ電源が位相変換するまで待機するステップ０２０９と、
（１０）デジタル制御切換えネットワークを起動し、セカンダリ電源を電力供給ユニットに連結させると共に、ステップ０２０１を実行するステップ０２１０と、
を含む。
【００２２】
本発明が属する分野にて通常の知識を有する者であれば、このような記載から多様な修正及び変形が可能であり、本発明の開示に制限されないことは明白であろう。この一般的方法の概要は、この全般的な設計記述を含む様々な実施例を作成するようにこれから記述する様々な構成成分によって拡張され得る。
【００２３】
＜模範的電力状態検出器（０３００）＞
図１（０１００）には、電力状態検出回路０１２０が給電源（ＰＳＳ）０１１０、０１１１，０１１９の電力状態を監視するように作動することを示している。一つの代表的な構成としては、電力状態検出回路０１２０が少なくとも一つのプライマリ電源０１１１を監視するように配置されている。
【００２４】
図３（０３００）は、本発明方法によってプライマリ電源０３１０交流電源を監視することを実現する模範的電力状態検出器を示している。ゼロ交差検出器（zero crossing detector／ＺＣＤ）０３２０を介してプライマリ電源０３１０交流信号の正・負交流位相タイミングを判定するようにプライマリ電源０３１０の出力が処理される。クロック生成器０３３０は当該位相の情報を同期化するように用いられる。クロック生成器０３３０は、ロッシー積分器ピーク検出器（lossy integrator peak detector）０３４０による出力におけるサンプリングクロックとして用いられる。クロック生成器０３３０は、プライマリ電源０３１０の回線周波数（line frequency）の複数倍で動作するように構成され、プライマリ電源０３１０と同期されることによって、プライマリ電源０３１０の波形のエンベロープにおけるサンプリングクロックエッジが確実に位置することを可能にする。サンプリングクロックエッジは、測定するためにプライマリ電源０３１０の電圧をどのときにサンプリングするかを決めるものとして用いられる。
【００２５】
ロッシー積分器ピーク検出器０３４０は、プライマリ電源０３１０から出力された交流波形の正又は負の一部を積分して保持する（サンプル保持手段０３５０或いはその等価回路を用いる）。次に、デジタルコンパレーター０３７０によって、プライマリ電源０３１０から出力されたサンプリングされた正又は負の値が基準電圧生成器０３６０からの出力と比較される。デジタルコンパレーター０３７０からの出力がフリップフロップ器０３８０によってラッチされて相補的プライマリ電力が良好か否かを示す信号を生成する。
【００２６】
なお、上記に記述された構成は、１―位相周期電力良好状態が達成されたかどうかを決めることに留意されたい。かかるシステムは、デジタル制御切換えネットワークが起動する前に少なくとも一つの完全なプライマリ電源交流位相が“良好”と検出されるまでデジタル制御切換えネットワークの起動を遅らせる第２のフリップフロップ器０３９０を含んでもよい。切換えの遅延は、他例として、付加的なフリップフロップステージを含む付加的な遅延を取り入れるようにしてもよい。なお、本発明が属する分野にて通常の知識を有する者であれば、当該遅延は、検出された位相計数遅延の外に、多少の絶対時間遅延を取り入れるようにしてもよいことが理解される。
【００２７】
＜模範的構成制御動作（Exemplary Configuration Control Operation）（０４００）＞
図１（０１００）に示されているように、電力状態検出回路０１２０は、デジタル制御切換えネットワーク（ＤＳＮ）０１３０と共に、給電源０１１０、０１１１、０１１９及び交流・直流電力供給ユニット０１４０、０１４１、０１４９間の電力連結を構成することにより、被保護負荷装置０１５０、０１５１、０１５９にサービスを提供するように作動する。図４は、典型的なプライマリ電源及びセカンダリ電源のコンテキストにおいて監視される給電源に関連する典型的な波形を示している。
【００２８】
この例では、監視される交流のプライマリ電源０４１０と電力が良好であるしきい値０４１９とが相関しており、電力が良好であるしきい値０４１９は、正の位相変換における給電源の電圧が許容可能であると判断されるポイントと定義される。第１の正位相０４１１期間においては、当該電圧が電力が良好であるしきい値（ＰＧＴ）０４１９を満たすが、第２の正位相０４１３期間においては、当該電圧が電力が良好であるしきい値（ＰＧＴ）０４１９の要請を満さない。ゼロ交差検出器０４２０は、各交流位相０４１１、０４１２、０４１３、０４１４の極性が正位相０４２１、０４２３及び負位相０４２２、０４２４の状態に対応するデジタル信号を生成するように構成されている。ゼロ交差検出器０４２０の出力は、給電源の電圧の電圧レベルの同期検出に用いられる。
【００２９】
ロッシー積分器ピーク検出器０４３０は、ＰＳＰの電圧レベルを検出するように用いられ、色々な方法で構成され、図示の回路０４３９を含む。図中、２つのピーク０４３１、０４３３の正ピークが検出されたことを示しているが、負位相ピークの電圧レベルを検出する類似の回路０４３９（図示しないが、反転ダイオードを用いる）を用いてもよい。
【００３０】
また、更に、正位相０４１１、０４１３波形電圧の電圧状態を取得するためにロッシー積分器ピーク検出器０４３０の波形エンベロープ０４４１、０４４３の内部範囲内にエッジクロック０４４１、０４４３を設定するようにロッシー積分器ピーク検出器０４３０をゲートで制御するクロック生成器０４４０を含む。取得された電圧状態は、続いて電力良好状態（power good condition）０４５１又は電力不良状態（power fail condition）０４５３を表す電力良好信号（power good signal (PGS)）０４５０として所定の位相周期をもってラッチされる。
【００３１】
プライマリ電源の電力状態が確認されたとき、デジタル制御切換えネットワークによって適切なプライマリ電源スイッチ０４６０を駆動し、プライマリ電源の電力が良好である場合、プライマリ電源との連結が作動され（０４６１）、その一方、プライマリ電源の電力が不良である場合、プライマリ電源との連結を停止する（０４６３）。
【００３２】
デジタル制御切換えネットワークは、相補的なやり方において、適切なセカンダリ電源スイッチ０４７０を駆動し、プライマリ電源の電力が不良である場合、セカンダリ電源との連結が作動され（０４７３）、その一方、プライマリ電源の電力が良好である場合、セカンダリ電源との連結を停止する（０４７１）。
【００３３】
＜模範的ゼロ交差検出器（zero crossing detector（ＺＣＤ））（０５００）＞
図３（０３００）に示された一般化システムのブロック図において、様々なゼロ交差器が実現可能である。図５（５００）は２つの実現可能な例を示している。その１例０５１０は、デジタルコンパレーター０５１４に入力されたクリッピングネットワーク０５１３との容量結合０５１２を用いて給電源０５１１の検出を実現するようになっている。他例０５２０は、デジタルコンパレーター０５２４に入力されたクリッピングネットワーク０５２３との誘導結合０５２２を用いて給電源０５２１の検出を実現するようになっている。プルアップ抵抗０５１５、０５２５は、出力がデジタルレベルになるように、デジタルコンパレーター０５１４、０４２５を調節する。模範的入力及び検出波形０５３０は参照のために示されている。
【００３４】
＜模範的電圧検出器／切換え制御（Exemplary Voltage Detector/Switch Control）（０６００）＞
図６（０６００）は、図３（０３００）に示された一般化システムのブロック図において、複数のプライマリ電源の電圧検出構成を示している。図中、給電源０６１１は、電磁誘導によって電圧検出器から離隔され、クリッピング分圧器ネットワーク０６１３を介して処理されるようになっている。クリッピング分圧器ネットワーク０６１３の出力は、ロッシー積分器ピーク検出器０６１５に用いられる仮想接地を形成するように演算増幅器０６１４に用いられる。ロッシー積分器ピーク検出器０６１５の出力が、デジタルコンパレーター０６１７によって基準電圧生成器０６１６の基準出力と比較するように用いられる。デジタルコンパレーター０６１７の出力は、給電源０６１１の位相タイミングに基づいて変化する。
【００３５】
適当なタイミングを定めて給電源０６１１の電圧を測定するために、給電源０６１１と同期されたクロック生成器０６１８が、給電源０６１１の交流波形における中間位相期間においてフリップフロップ器０６１９にクロックを与えると共に中間位相期間においてデジタルコンパレーター０６１７の出力をラッチするパルストレインを生成する。フリップフロップ器０６１９の出力（正論理として解釈される（interpreted as active high)）は、デジタル制御切換えネットワークによって給電源と下流の交流・直流電力供給ユニットとにおける連結を駆動／停止するように、位相電源が良好／不良である状態が生成される。
【００３６】
図６（０６００）は、模範的なタイミング波形０６３０を示している。図中、クロック生成器０６１８から生成されたサンプルタイミングが、基準電圧生成器０６１６から生成された基準電圧と共に、交流出力の一つの位相周期においてフリップフロップ器０６１９の出力が給電源の利用不能（failure）を反映するようにする。これにより、デジタル制御切換えネットワークが急速に起動して、利用不能な電源を代替することができ、被保護負荷装置が停電にさらされないことを確保することができる。
【００３７】
＜模範的無停電電力供給システム統合（exemplary UPS system integration）（０７００）＞
図７（０７００）は、図１に説明されたＵＰＳシステムの統合を示している。なお、ＵＰＳシステムは、米国特許出願（出願番号第１４／４６１,１１０号と第１４／５０９,４５４号）に開示されているものである。図７に示されたように、電力制御器０７１０、バッテリー切換えスイッチ０７２０、バッテリーチャージャー０７３０、交流・直流電力供給ユニット（ＰＳＵ）０７５０、交流電源セレクター０７７０及びバイパススイッチ０７８０が連結され、上記の説明に示されているように、電力状態検出回路及び制御ハードウェアを用いてデジタル制御切換えネットワークによる切換えに影響を及ぼすように制御するようになっている。図７は、本発明に係る電源配置システムによってサポートされる無停電電力供給システムのただ一つの後端（back-end）実施例についてのみ説明する図である。上記に記載された先行特許出願における無停電電力供給システムの他の実施例も、図７（０７００）及び本願の他の図面に記載された電力供給システムに取り入れて適用可能である。
【００３８】
＜模範的デジタル制御切換えネットワークの切換え＞
デジタル制御切換えネットワークは、給電源及び電力供給ユニットと連結されるように用いられ、複数の素子を用いることによって実現される複数の切換え機能を果たすことが可能である。図８（０８００）は、デジタル制御切換えネットワークの幾つかの実施例を示している。デジタル制御切換えネットワーク０８３０は、一つ又は複数の回路素子、例えば、
・従来のリレー／接触器０８３１、
・相補型シリコン制御整流器（ＳＣＲｓ）と直列接続された従来のリレー／接触器０８３２、
・相補型絶縁ゲートバイポーラトランジスタ（ＩＧＢＴｓ）（単独に使用される又は図示のように相補的に使用される）或いは相補型バイポーラトランジスタ（上記のＩＧＢＴｓに基づいての連結）０８３３、
・一つのシリコン制御整流器（ＳＣＲ）によって直列接続されたＭＯＳＦＥＴ０８３４（シリコン制御整流器（ＳＣＲ）としては、例えば単独に使用される又は後記のシリコン制御整流器（ＳＣＲ）０８３６のように相補的に用いられる）
・ＳＣＲ伝導を終了するためにＳＣＲを分流するスイッチによるシリコン制御整流器（ＳＣＲ）を介して直列接続されたＭＯＳＦＥＴ０８３５（シリコン制御整流器（ＳＣＲ）としては、例えば、単独に使用される又は後記のシリコン制御整流器ＳＣＲｓ０８３６のように相補的に用いられる）、
・相補型シリコン制御整流器（ＳＣＲｓ）０８３６、
・図示されたＮＣＨ／ＮＣＨ、ＰＣＨ／ＰＣＨ、或いはＮＣＨ／ＰＣＨ素子タイプを用いて構成されたＭＯＳＦＥＴ０８３７、
・リレー／接触器によって分流されるダイオードで直列接続されたＭＯＳＦＥＴ０８３８、及び／又は、
・トライアック（双方向サイリスタ／triode（（三極管）＋ A.C.（交流）））０８３９、
を含むようになっている。
【００３９】
本発明が属する分野にて通常の知識を有する者であれば、このような記載は、幾つかの切換え構成を説明する例であって、多様な修正及び変形が可能であり、本発明の開示に制限されないことは明白であろう。
【００４０】
＜模範的実施例（０９００）〜（４８００）＞
図１（０１００）〜図７（０７００）は、様々な具体的且つ好ましい配置で実施され得る一般的な電源配置システム／方法を示している。図９（０９００）〜図４８（４８００）は、本発明に係るシステム／方法のいくつかの好ましい実施例を模式的に示している。これらの実施例は、色々なアプリケーションに実施される本発明特徴の一般的な基準としてなる。
【００４１】
＜デュアル交流入力システム−入力の完全保護（０９００）〜（１０００）＞
図９（０９００）〜図１０（１０００）は、完全な電源保護をもって二つの電力供給ユニット０９４１、０９４２に電力を供給するための二つの交流電源０９１１、０９１２を備えた電源配置バックアップ構成を示している。
【００４２】
電力状態の検出及びデジタル制御切換えネットワーク０９２０の機能は、図１０（１０００）に示されており、あらゆる電力供給ユニット０９４１、０９４２の電源が保護されていることが確保され、それらの交流電源０９１１、０９１２は相補型スイッチＳ１（０９３１）とＳ２（０９３２）の開閉制御によって選択されるようになっている。
【００４３】
＜デュアル交流入力システム−入力の一部保護（１１００）〜（１２００）＞
図１１（１１００）〜図１２（１２００）は、四つの電力供給ユニット１１４１、１１４２、１１４３、１１４４における二つが電源保護されず他の二つが完全に電源保護されるよう電力を供給するための二つの交流電源１１１１、１１１２を備えた電源配置バックアップ構成を示している。
【００４４】
電力状態の検出及びデジタル制御切換えネットワーク１１２０の機能は、図１２（１２００）に示されており、一部の電力供給ユニット１１４３、１１４４の電源が保護されず、他部の電力供給ユニット１１４１、１１４２の電源が保護されていることが確保され、それらの交流電源１１１１、１１１２は相補型スイッチＳ１（１１３１）とＳ２（１１３２）の開閉制御によって選択されるようになっている。
【００４５】
＜デュアル交流入力システム−手動バイパス（１３００）〜（１４００）＞
図１３（１３００）〜図１４（１４００）は、完全な電源保護をもって二つの電力供給ユニット１３４１、１３４２に電力を供給するための二つの交流電源１３１１、１３１２を備えた電源配置バックアップ構成を示している。この構成は更に手動バイパススイッチ１３３３を備えている。
【００４６】
電力状態の検出及びデジタル制御切換えネットワーク１３２０の機能は、図１４（１４００）に示されており、あらゆる電力供給ユニット１３４１、１３４２の電力供給が保護されていることが確保され、それらの交流電源１３１１、１３１２は相補型スイッチＳ１（１３３１）とＳ２（１３３２）の開閉制御によって選択されるようになっている。
手動バイパススイッチ１３３３は、相補型スイッチＳ１（１３３１）とＳ２（１３３２）と連結され、メインテナンス機能を果たすことができる。１例としては、手動バイパススイッチ１３３３は、手動選択によって、電力供給ユニット１３４１、１３４２に電力のロスがないように、交流電源１３１１、１３１２における一方の交流電源１３１１（ＡＣ１）と選択的に連結され、他方の交流電源（ＡＣ２）１３１２をバイパスすることができる。このバイパス動作期間において、他方の交流電源１３１２を利用してプライマリ電源とすることが可能である等価構成（図示せず）を配置することができる。
【００４７】
＜デュアル交流入力システム−自動バイパス（１５００）〜（１６００）＞
図１５（１５００）〜図１６（１６００）は、完全な電源保護をもって二つの電力供給ユニット１５４１、１５４２に電力を供給するための二つの交流電源１５１１、１５１２を備えた電源配置バックアップ構成を示している。この構成は更に自動バイパススイッチ１５３３を備えている。
【００４８】
電力状態の検出及びデジタル制御切換えネットワーク１５２０の機能は、図１６（１６００）に示されており、あらゆる電力供給ユニット１５４１、１５４２の電源が保護されていることが確保され、それらの交流電源１５１１、１５１２は相補型スイッチＳ１（１５３１）とＳ２（１５３２）の開閉制御によって選択されるようになっている。
自動バイパススイッチ１５３３は、相補型スイッチＳ１（１５３１）とＳ２（１５３２）と連結され、メインテナンス機能を果たすことができる。１例としては、自動バイパススイッチ１５３３は、自動選択によって、電力供給ユニット１５４１、１５４２に電力のロスがないように、交流電源１５１１、１５１２における一方の交流電源（ＡＣ１）１５１１と選択的に連結され、他方の交流電源（ＡＣ２）１５１２をバイパスすることができる。このバイパス動作期間において、他方の交流電源１５１２を利用してプライマリ電源とすることが可能である等価構成（図示せず）を配置することができる。
【００４９】
＜デュアル交流入力システム−切換えバックアップ（１７００）〜（１８００）＞
図１７（１７００）〜図１８（１８００）は、完全な電源保護をもって二つの電力供給ユニット１７４１、１７４２に電力を供給するための二つの交流電源１７１１、１７１２を備えた電源配置バックアップ構成を示している。この構成は更に冗長バイパススイッチ１７３３、１７３４を備えている。
【００５０】
電力状態の検出及びデジタル制御切換えネットワーク１７２０の機能は、図１８（１８００）に示されており、あらゆる電力供給ユニット１７４１、１７４２の電源が保護されていることが確保され、それらの交流電源１７１１、１７１２は相補型スイッチＳ１（１７３１）／Ｓ３（１７３３）及びＳ２（１７３２）／Ｓ４（１７３４）の開閉制御によって選択されるようになっている。
【００５１】
この例では上記の例と比べて更に冗長バイパスとなる相補型スイッチＳ３（１７３３）とＳ４（１７３４）とを備えているので、デジタル制御切換えネットワーク１７２０によって制御される切換えマトリックスにより高い信頼性を高めることができる。
【００５２】
＜デュアル交流入力システム−直流バックアップ（１９００）〜（２０００）＞
図１９（１９００）〜図２０（２０００）は、完全な電源保護をもって二つの電力供給ユニット１９４１、１９４２に電力を供給するための一つの交流電源１９１１とバッテリーで構成された一つの直流電源１９１３とを備えた電源配置バックアップ構成を示している。この構成は更にバッテリーを充電する交流整流器１９１４を備えている。
【００５３】
電力状態の検出及びデジタル制御切換えネットワーク１９２０の機能は、図２０（２０００）に示されており、あらゆる電力供給ユニット１９４１、１９４２の電源が保護されていることが確保され、それらの交流電源１９１１又は直流電源１９１３は相補型スイッチＳ１（１９３１）とＳ２（１９３２）の開閉制御によって選択されるようになっている。
【００５４】
相補型スイッチＳ１（１９３１）とＳ２（１９３２）は、交流電源１９１１が電力供給ユニット１９４１、１９４２と連結されるように切り替えられ、交流電源１９１１が利用不能になった場合、直流電源１９１３によって電力供給ユニット１９４１、１９４２に電力を供給する。なお、電力供給ユニット１９４１、１９４２が動作可能になるのは、交流・直流電源による配置によって共用可能な電源入力構成になっているからである。
【００５５】
なお、直流電源１９１３が独立的に作動する、又は代替可能な他の充電手段によって充電されるように配置された場合、いくつかの実施において直流電源１９１３を充電する交流電源整流器１９１４を省くことができる。
【００５６】
図２０（２０００）に示されたように、電力状態の検出及びデジタル制御切換えネットワーク１９２０は、与えられた電源に切り替えられると共に電力供給ユニットと連結される前に、当該電源が完全に機能していること（例えば、複数の交流周期でフル電圧レベルである）を確保するように、機能することができる。なお、当該“電力良好”の選択的切換え機能は、上記に述べられた電力状態の検出及びデジタル制御切換えネットワークの機能に黙示的に含まれる。
【００５７】
＜直流バックアップを備えたデュアル交流入力システム（２１００）〜（２２００）＞
図２１（２１００）〜図２２（２２００）は、完全な電源保護をもって二つの電力供給ユニット２１４１、２１４２に電力を供給するための二つの交流電源２１１１、２１１２とバッテリーで構成された一つの直流電源２１１３とを備えた電源配置バックアップ構成を示している。この構成は更にバッテリーを充電する交流整流器２１１４を備えている。
【００５８】
電力状態の検出及びデジタル制御切換えネットワーク２１２０の機能は、図２２（２２００）に示されており、あらゆる電力供給ユニット２１４１、２１４２の電源が保護されていることが確保され、それらの交流電源２１１２又は直流電源２１１３は相補型スイッチＳ１（２１３１）とＳ２（２１３２）の開閉制御によって選択されるようになっている。
【００５９】
相補型スイッチＳ１（２１３１）とＳ２（２１３２）は、交流電源２１１２が電力供給ユニット２１４１、２１４２と連結されるように切り替えられ、交流電源２１１２が利用不能になった場合、直流電源２１１３ではなく交流電源２１１１を充電電源として用いて電力供給ユニット２１４１、２１４２に電力を供給する。なお、電力供給ユニット２１４１、２１４２が動作可能になるのは、交流・直流電源による配置によって共用可能な電源入力構成になっているからである。
【００６０】
なお、直流電源２１１３が独立的に作動する、又は代替可能な他の充電手段によって充電されるように配置された場合、いくつかの実施において直流電源２１１３を充電する交流電源整流器２１１４を省くことができる。
【００６１】
図２２（２２００）に示されたように、電力状態の検出及びデジタル制御切換えネットワーク２１２０は、与えられた電源に切り替えられると共に電力供給ユニットと連結される前に、当該電源が完全に機能していること（例えば、複数の交流周期でフル電圧レベルである）を確保するように、機能することができる。なお、当該“電力良好”の選択的切換え機能は、上記に述べられた電力状態の検出及びデジタル制御切換えネットワーク２１２０の機能に黙示的に含まれる。
【００６２】
＜直流バックアップを備えたデュアル交流入力システム（２３００）〜（２４００）―四つの電力供給ユニット＞
図２３（２３００）〜図２４（２４００）は、四つの電力供給ユニット２３４１、２３４２、２３４３、２３４４における二つが電源保護されず他の二つが完全に電源保護されるよう電力を供給するための二つの交流電源２３１１、２３１２とバッテリーからなった一つの直流電源２３１３とを備えた電源配置バックアップ構成を示している。この構成は更にバッテリーを充電する交流整流器２３１４を備えている。
【００６３】
電力状態の検出及びデジタル制御切換えネットワーク２３２０の機能は、図２４（２４００）に示されており、二つの電力供給ユニット２３４１、２３４２の電源が保護されていることが確保され、それらの交流電源２３１２又は直流電源２３１３は相補型スイッチＳ１（２３３１）とＳ２（２３３２）の開閉制御によって選択されるようになっている。
【００６４】
相補型スイッチＳ１（２３３１）とＳ２（２３３２）は、電力供給ユニット２３４１、２３４２と交流電源２３１２が直接連結されないように切り替えられ、交流電源２３１２が利用不能になった場合、直流電源２３１３ではなく交流電源２３１１を充電電源として用いて電力供給ユニット２３４１、２３４２に電力を供給する。なお、電力供給ユニット２３４１〜２３４４が動作可能になるのは、交流・直流電源による配置によって共用可能な電源入力構成になっているからである。
【００６５】
なお、直流電源２３１３が独立的に作動する、又は代替可能な他の充電手段によって充電するように配置された場合、いくつかの実施において直流電源２３１３を充電する交流電源整流器２３１４を省くことができる。
【００６６】
図２４（２４００）に示されたように、電力状態の検出及びデジタル制御切換えネットワーク２３２０は、与えられた電源に切り替えられると共に電力供給ユニットと連結される前に、当該電源が完全に機能していること（例えば、複数の交流周期でフル電圧レベルである）を確保するように、機能することができる。なお、当該“電力良好”の選択的切換え機能は、上記に述べられた電力状態の検出及びデジタル制御切換えネットワーク２３２０の機能に黙示的に含まれる。
【００６７】
＜直流バックアップを備えたデュアル交流入力システム（２５００）〜（２６００）―四つの電力供給ユニット＞
図２５（２５００）〜図２６（２６００）は、四つの電力供給ユニット２５４１、２５４２、２５４３、２５４４における二つが電源保護されず他の二つが完全に電源保護されるよう電力を供給するための二つの交流電源２５１１、２５１２とバッテリーからなった一つの直流電源２５１３とを備えた電源配置バックアップ構成を示している。この構成は更にバッテリーを充電する交流整流器２５１４を備えている。
【００６８】
電力状態の検出及びデジタル制御切換えネットワーク２５２０の機能は、図２６（２６００）に示されており、二つの電力供給ユニット２５４１、２５４２の電源が保護されていることが確保され、それらの交流電源２５１２又は直流電源２５１３は相補型スイッチＳ１（２５３１）とＳ２（２５３２）の開閉制御によって選択されるようになっている。
【００６９】
この実施例は、図２３（２３００）に示された構成及び機能とほぼ同じであるが、電力供給ユニット２５４３、２５４４が交流電源２５１１、２５１２から直接給電されるように直接連結されている点で異なる。
【００７０】
なお、電力供給ユニット２５４１〜２５４４が動作可能になるのは、交流・直流電源による配置によって共用可能な電源入力構成になっているからであることに留意されたい。
【００７１】
＜デュアル交流・直流入力システム（２７００）〜（２８００）＞
図２７（２７００）〜図２８（２８００）は、二つの電力供給システム２７４１、２７４２に完全な電源保護をもって電力を供給するための二つの交流電源２７１１、２７１２とバッテリーからなった一つの直流電源２７１３とを備えた電源配置バックアップ構成を示している。また、図２８は、電力状態の検出及びデジタル制御切換えネットワーク２７２０の機能が示されており、二つの電力供給ユニット２７４１、２７４２の電源が保護されていることが確保され、それらの交流電源２７１１、２７１２又は直流電源２７１３は相補型スイッチＳ１（２７３１）とＳ２（２７３２）とＳ３（２７３３）の開閉制御によって選択されるようになっている。
【００７２】
なお、この実施例に係る構成は、同一のバックアップ切換え構成（configuration）において交流電源２７１１、２７１２と直流電源２７１３とを混ぜて使用することが可能である。また、電力供給ユニット２７４１〜２７４４が動作可能になるのは、交流・直流電源による配置によって共用可能な電源入力構成になっているからであることに留意されたい。
【００７３】
＜デュアル交流・直流入力システム（２９００）〜（３０００）―四つの電力供給ユニット＞
図２９（２９００）〜図３０（３０００）は、四つの電力供給ユニット２９４１、２９４２、２９４３、２９４４における二つが電源保護されず他の二つが完全に電源保護されるよう電力を供給するための二つの交流電源２９１１、２９１２とバッテリーからなった一つの直流電源２９１３とを備えた電源配置バックアップ構成を示している。なお、直流電源２９１３は、セカンダリ直流電源として用いられる。
【００７４】
図３０は、電力状態の検出及びデジタル制御切換えネットワーク２９２０の機能が示されており、二つの電力供給ユニット２９４１、２９４２の電源が保護されていることが確保され、それらの交流電源２９１１、２９１２又は直流電源２９１３は相補型スイッチＳ１（２９３１）とＳ２（２９３２）とＳ３（２９３３）の開閉制御によって選択されるようになっている。
【００７５】
なお、この実施例に係る構成は、同一のバックアップ切換え構成（configuration）において交流電源２９１１、２９１２と直流電源２９１３とを混ぜて使用することが可能である。また、電力供給ユニット２９４３、２９４４は、その構成が図２７（２７００）と同じであるが、直接交流電源２９１１、２９１２から電力を供給するように直接連結されている点で異なる。
【００７６】
なお、電力供給ユニット２９４１〜２９４４が動作可能になるのは、交流・直流電源による配置によって共用可能な電源入力構成になっているからであることに留意されたい。
【００７７】
＜デュアル交流・直流・代替可能なエネルギー入力システム（３１００）〜（３２００）＞
図３１（３１００）〜図３２（３２００）は、四つの電力供給ユニット３１４１、３１４２、３１４３、３１４４における二つが電源保護されず他の二つが完全に電源保護されるよう電力を供給するための二つの交流電源３１１１、３１１２とバッテリーからなった一つの直流電源３１１３とを備えた電源配置バックアップ構成を示している。なお、直流電源３１１３は、セカンダリ直流電源として用いられる。
【００７８】
図３２は、電力状態の検出及びデジタル制御切換えネットワーク３１２０の機能が示されており、二つの電力供給ユニット３１４３、３１４４の電源が保護されず他の二つの電力供給ユニット３１４１、３１４２の電源が保護されていることが確保され、それらの交流電源３１１１、３１１２又は直流電源３１１３は相補型スイッチＳ１（３１３１）とＳ２（３１３２）とＳ３（３１３３）の開閉制御によって選択されるようになっている。
【００７９】
なお、この実施例に係る構成は、同一のバックアップ切換え構成（configuration）において交流電源３１１１、３１１２と直流電源３１１３とを混ぜて使用することが可能である。
【００８０】
この例に係る構成は、図２９（２９００）と同じであるが、代替可能なエネルギー３１１５、３１１６、３１１７（チャージャー３１１８、３１１９と協同して稼動する）が直流電源３１１３に充電電流を供給することができる点で異なる。なお、電力供給ユニット３１４１〜３１４４が動作可能になるのは、交流・直流電源による配置によって共用可能な電源入力構成になっているからであることに留意されたい。
【００８１】
＜直流バックアップ／バイパスを備えたデュアル交流入力システム（３３００）〜（３４００）＞
図３３（３３００）〜図３４（３４００）は、二つの電力供給ユニット３３４１、３３４２に完全な電源保護をもって電力を供給するための二つの交流電源３３１１、３３１２とバッテリーからなった一つの直流電源３３１３とを備えた電源配置バックアップ構成を示している。この構成は更にバッテリーを充電する交流整流器３３１４を備えている。
図３４は、電力状態の検出及びデジタル制御切換えネットワーク３３２０の機能が示されており、全ての電力供給ユニット３３４１、３３４２の電源が保護されていることが確保され、それらの交流電源３３１２又は直流電源３３１３は相補型スイッチＳ１（３３３１）とＳ２（３３３２）の開閉制御によって選択されるようになっている。
【００８２】
相補型スイッチＳ１（３３３１）とＳ２（３３３２）は、交流電源３３１２が電力供給ユニット３３４１、３３４２と連結されるように切り替えられ、交流電源３３１２が利用不能になった場合、直流電源３３１３は交流電源３３１１を充電電源として用いて電力供給ユニット３３４１、３３４２に電力を供給する。なお、電力供給ユニット３３４１〜３３４４が動作可能になるのは、交流・直流電源による配置によって共用可能な電源入力構成になっているからである。
【００８３】
なお、直流電源３３１３が独立的に作動する、又は代替可能な他の充電手段によって充電するように配置された場合、いくつかの実施において直流電源３３１３を充電する交流整流器３３１４を省くことができる。
【００８４】
図３４（３４００）に示されたように、電力状態の検出及びデジタル制御切換えネットワーク３３２０は、与えられた電源に切り替えられると共に電力供給ユニットと連結される前に、当該電源が完全に機能していること（例えば、複数の交流周期で最大電圧レベルである）を確保するように、機能することができる。なお、当該“電力良好”の選択的切換え機能は、上記に述べられた電力状態の検出及びデジタル制御切換えネットワーク３３２０の機能に黙示的に含まれる。
【００８５】
なお、この例に係る構成には、相補型スイッチＳ１（３３３１）及び／又はＳ２（３３３２）にメンテナンスを行なう際に電力供給ユニット３３４１、３３４２に対するエネルギーロスが起こらないようにする自動バイパススイッチ３３３３を組み込んでいる。
【００８６】
＜直流バックアップを備えたデュアル交流入力システム（３５００）〜（３６００）―四つの電力供給ユニット＞
図３５（３５００）〜図３６（３６００）は、四つの電力供給ユニット３５４１、３５４２、３５４３、３５４４における二つが電源保護されず他の二つが完全に電源保護されるよう電力を供給するための二つの交流電源３５１１、３５１２とバッテリーからなった一つの直流電源３５１３とを備えた電源配置バックアップ構成を示している。この構成は更にバッテリーを充電する交流整流器３５１４を備えている。
【００８７】
図３６は、電力状態の検出及びデジタル制御切換えネットワーク３５２０の機能が示されており、二つの電力供給ユニット３５４１、３５４２の電源が保護されていることが確保され、交流電源３５１２又は直流電源３５１３は相補型スイッチＳ１（３５３１）とＳ２（３５３２）の開閉制御によって選択されるようになっている。
【００８８】
この例に係る構成及び機能は、図３３（３３００）と同じであるが、電力供給ユニット３５４３、３５４４が交流電源３５１１、３５１２から直接給電されるように直接連結されている点で異なる。なお、電力供給ユニット３５４１〜３５４４が動作可能になるのは、交流・直流電源による配置によって共用可能な電源入力構成になっているからであることに留意されたい。
【００８９】
なお、この例に係る構成には、相補型スイッチＳ１（３５３１）及び／又はＳ２（３５３２）にメンテナンスを行なう際に電力供給ユニット３５４１、３５４２に対するエネルギーロスが起こらないようにする自動バイパススイッチ３５３３を組み込んでいる。
【００９０】
＜デュアル三相交流入力システム（３７００）〜（３８００）＞
図３７（３７００）〜図３８（３８００）は、六つの電力供給ユニット３７４１〜３７４６に完全な電源保護をもって電力を供給するための二つの三相交流電源３７１１、３７１２を備えた電源配置バックアップ構成を示している。
【００９１】
図３８は、電力状態の検出及びデジタル制御切換えネットワーク３７２０の機能が示されており、六つの電力供給ユニット３７４１〜３７４６の電源が保護されていることが確保され、交流電源３７１１、３７１２は相補型三相スイッチＳ１（３７３１、３７３３、３７３５）とＳ２（３７３２、３７３４、３７３６）の開閉制御によって選択されるようになっている。
【００９２】
＜三相交流・電池入力システム（３９００）〜（４０００）＞
図３９（３９００）〜図４０（４０００）は、六つの電力供給ユニット３９４１〜３９４６に完全な電源保護をもって電力を供給するための一つの三相交流電源３９１１と直流電源としての補助電池３９１３とを備えた電源配置バックアップ構成を示している。
【００９３】
図４０は、電力状態の検出及びデジタル制御切換えネットワーク３９２０の機能が示されており、六つの電力供給ユニット３９４１〜３９４６の電源が保護されていることが確保され、交流電源３９１１又は直流電源３９１３は相補型三相スイッチＳ１（３９３１、３９３３、３９３５）とＳ２（３９３２、３９３４、３９３６）の開閉制御によって選択されるようになっている。
【００９４】
＜三相交流・電池・整流器入力システム（４１００）〜（４２００）＞
図４１（４１００）〜図４２（４２００）は、六つの電力供給ユニット４１４１〜４１４６に完全な電源保護をもって電力を供給するための一つの三相交流電源４１１１と直流電源としての補助電池４１１３とを備えた電源配置バックアップ構成を示している。
【００９５】
図４２は、電力状態の検出及びデジタル制御切換えネットワーク４１２０の機能が示されており、六つの電力供給ユニット４１４１〜４１４６の電源が保護されていることが確保され、交流電源４１１１又は直流電源４１１３は相補型三相スイッチＳ１（４１３１、４１３３、４１３５）とＳ２（４１３２、４１３４、４１３６）の開閉制御によって選択されるようになっている。この構成では、補助電池４１１３のフル充電を三相交流電源４３１１を使って保つために用いられる整流器４１１４を組み入れている。
【００９６】
＜三相交流・電池・整流器入力システム（４３００）〜（４４００）＞
図４３（４３００）〜図４４（４４００）は、六つの電力供給ユニット４３４１〜４３４６に完全な電源保護をもって電力を供給するための一つの三相交流電源４３１１と直流電源としての補助電池４３１３とを備えた電源配置バックアップ構成を示している。この構成では、補助電池４３１３のフル充電を代替可能な他の三相交流電源４３１２を使って保つために用いられる整流器４３１４を組み入れている。
【００９７】
図４４は、電力状態の検出及びデジタル制御切換えネットワーク４３２０の機能が示されており、六つの電力供給ユニット４３４１〜４３４６の電源が保護されていることが確保され、交流電源４３１１又は直流電源４３１３は相補型三相スイッチＳ１（４３３１、４３３３、４３３５）とＳ２（４３３２、４３３４、４３３６）の開閉制御によって選択されるようになっている。
【００９８】
＜三相交流・電池入力システム（４５００）〜（４６００）＞
図４５（４５００）〜図４６（４６００）は、八つの電力供給ユニット４５４１〜４５４８における四つが電源保護されず他の四つが完全に電源保護されるよう電力を供給するための一つの三相交流電源４５１１と直流電源としての補助電池４５１３とを備えた電源配置バックアップ構成を示している。
【００９９】
図４６（４６００）は、電力状態の検出及びデジタル制御切換えネットワーク４５２０の機能が示されており、四つの電力供給ユニット４５４１〜４５４４の電源が保護されていることが確保され、交流電源４５１１又は直流電源４５１３は相補型三相スイッチＳ１（４５３１、４５３３）とＳ２（４５３２、４５３４）の開閉制御によって選択されるようになっている。この構成では、補助電池４５１３は、外部の充電電源を使って充電されるように用いられる。
【０１００】
＜三相交流・電池・整流器入力システム（４７００）〜（４８００）＞
図４７（４７００）〜図４８（４８００）は、八つの電力供給ユニット４７４１〜４７４８における二つが電源保護されず他の六つが完全に電源保護されるよう電力を供給するための一つの三相交流電源４７１１と直流電源としての補助電池４７１３とを備えた電源配置バックアップ構成を示している。この構成では、補助電池４７１３のフル充電を別個の三相交流電源４７１２を使って保つために用いられる整流器４７１４を組み入れている。
【０１０１】
図４８（４８００）は、電力状態の検出及びデジタル制御切換えネットワーク４７２０の機能が示されており、六つの電力供給ユニット４７４１〜４７４６の電源が保護されていることが確保され、交流電源４７１１又は補助電池４７１３は相補型三相スイッチＳ１（４７３１、４７３３）とＳ２（４７３２、４７３４）の開閉制御によって選択されるようになっている。
【０１０２】
好ましいシステムの概要
本発明に係る好ましい実施例は、電源配置システムに要約することができるが、基本的な構成において多様な変形が可能である。本発明に係る電源配置システムは、
（ａ）プライマリ電源手段（primary power source（PPS）means）と、
（ｂ）セカンダリ電源手段（secondary power source（SPS）means）と、
（ｃ）電力状態検出手段（power condition sensing (PCS) means）と、
（ｄ）デジタル制御交換ネットワーク手段（digitally controlled switching network (DSN) means）と、
（ｅ）電力供給ユニット手段（power supply unit (PSU) means）と、
（ｆ）被保護装置負荷手段（protected device load (PDL) means）と、を備え、
前記電力供給ユニット手段は、交流・直流電源（ＡＤＰ）を有し、
前記電力状態検出手段は、前記デジタル制御交換ネットワーク手段に電気的に接続され、前記プライマリ電源手段の電力状態条件（power state condition (PSC)）を検出し、位相電力状態を生成するように構成され、
前記デジタル制御交換ネットワーク手段は、前記位相電力状態に基づいて、前記プライマリ電源手段、又はセカンダリ電源手段を前記交流・直流電源に電気的に接続させるように構成され、
前記交流・直流電源（ＡＤＰ）は、直流・交流ブーストコンバーター（ＢＣＶ）を有し、
前記直流・交流ブーストコンバーターは、ブーストコンバーター入力ポートと、ブーストコンバーター出力ポートとを有し、前記ブーストコンバーター入力ポートから交流電圧或いは直流電圧が入力されるように構成され、
前記交流・直流電源（ＡＤＰ）は更に直流・直流コンバーターを有し、
前記直流・直流コンバーターは、直流・直流コンバーター入力ポートと、直流・直流コンバーター出力ポートとを有し、前記直流・直流コンバーター入力ポートが前記ブーストコンバーター出力ポートと電気的に連結され、
前記被保護装置負荷（ＰＤＬ）手段は、被保護負荷装置（ＰＬＤ）と電気的に接続され
た直流・直流電源（ＤＤＰ）を有し、
前記直流・直流電源は、電力を供給するように前記直流・直流コンバーター出力ポートと電気的に連結している、ことを特徴とする。
【０１０３】
この一般的システムの概要は、この全般的な設計記述を含む様々な実施形態を作成するように以下に記述する様々な構成成分によって拡張され得る（以下に記述する「変形」を参照）。
【０１０４】
好ましい方法の概要
本発明に係る好ましい実施例は、電源配置方法に要約することができるが、基本的な構成において多様な変形が可能である。本発明に係る電源配置方法は、電源配置システムと協同して実行される方法である。当該電源配置システムは、
（ａ）プライマリ電源（ＰＰＳ）手段と、
（ｂ）セカンダリ電源（ＳＰＳ）手段と、
（ｃ）電力状態検出（ＰＣＳ）手段と、
（ｄ）デジタル制御交換ネットワーク（ＤＳＮ）手段と、
（ｅ）電力供給ユニット（ＰＳＵ）手段と、
（ｆ）被保護装置負荷（ＰＤＬ）手段と、を備え、
前記電力供給ユニット手段は、交流・直流電源（ＡＤＰ）を有し、
前記電力状態検出手段は、前記デジタル制御交換ネットワーク手段に電気的に接続され、前記プライマリ電源手段の電力状態条件を検出し、位相電力状態を生成するように構成され、
前記デジタル制御交換ネットワーク手段は、前記位相電力状態に基づいて、前記プライマリ電源手段、又はセカンダリ電源手段を前記交流・直流電源（ＡＤＰ）に電気的に接続させるように構成され、
前記交流・直流電源（ＡＤＰ）は、直流・交流ブーストコンバーターを有し、
前記直流・交流ブーストコンバーター（ＢＣＶ）は、ブーストコンバーター入力ポートと、ブーストコンバーター出力ポートとを有し、前記ブーストコンバーター入力ポートから交流電圧或いは直流電圧が入力されるように構成され、
前記交流・直流電源（ＡＤＰ）は更に直流・直流コンバーター（ＤＤＣ）を有し、
前記直流・直流コンバーターは、直流・直流コンバーター入力ポートと、直流・直流コンバーター出力ポートとを有し、前記直流・直流コンバーター入力ポートが前記ブーストコンバーター出力ポートと電気的に連結され、
前記被保護装置負荷（ＰＤＬ）手段は、被保護負荷装置（ＰＬＤ）と電気的に接続された直流・直流電源（ＤＤＰ）を有し、
前記直流・直流電源は、電力を供給するように前記直流・直流コンバーター出力ポートと電気的に連結している、ことを特徴とする。
【０１０５】
前記電源配置方法は、
前記電力状態検出（ＰＣＳ）手段を用い、前記プライマリ電源（ＰＰＳ）手段の線間電圧の状態を監視するステップ（１）と、
前記電力状態検出手段を用い、前記セカンダリ電源手段の線間電圧の状態を監視するステップ（２）と、
前記プライマリ電源手段の線間電圧が予め定められた範囲内にあるかどうかを判定するステップ（３）と、
前記プライマリ電源手段の線間電圧が安定するまで待つステップ（４）と、
前記セカンダリ電源手段と前記電力供給ユニット手段との間を遮断するように前記デジタル制御交換ネットワーク手段を配置するステップ（５）と、
前記プライマリ電源手段が位相の変換を起こすまで待つステップ（６）と、
前記プライマリ電源手段と前記電力供給ユニット手段との間を導通させるように前記デジタル制御交換ネットワーク手段を配置すると共に、前記ステップ（１）を実行するステップ（７）と、
前記ステップ（３）において前記プライマリ電源手段の線間電圧が予め定められた範囲内でないと判定した場合、前記セカンダリ電源手段と前記電力供給ユニット手段との間を導通させるように前記デジタル制御交換ネットワーク手段を配置すると共に、前記ステップ（１）を実行するステップ（８）と、
前記セカンダリ電源手段が交流電源である場合、前記セカンダリ電源手段が位相変換するまで待機するステップ（９）と、
前記デジタル制御切換えネットワーク手段を起動し、前記セカンダリ電源手段を前記電力供給ユニット手段に連結させると共に、ステップ（１）を実行するステップ（１０）と、
を備えることを特徴とする。
【０１０６】
本発明が属する分野にて通常の知識を有する者であれば、このような記載から多様な修正及び変形が可能であり、本発明の開示に制限されないことは明白であろう。この一般的方法の概要は、この全般的な設計記述を含む様々な実施形態を作成するように以下に記述する様々な構成成分によって拡張され得る（以下に記述する「変形」を参照）。
【０１０７】
なお、本発明に係るステップの詳細は図２（０２００）に示されているが、代替方法を用いて、本発明の開示を逸脱することなく拡張してよい。
【０１０８】
変形
本発明は、構成の基本テーマにおいて様々な変形例が考えられる。これらの変形例は、可能な応用範囲の全体像を表すものではないが、可能な限り、一部の実施例を挙げる。
【０１０９】
この基本的なシステム及び方法は、様々な付随的実施例によって拡張可能であるが、これらに制限されない。例えば、
・プライマリ電源手段が三相ＤＥＬＴＡ電源を有する実施例；
・プライマリ電源手段が三相ＷＹＥ電源を有する実施例；
・被保護負荷装置（ＰＬＤ）がコンピューティングデバイスを含む実施例；
・被保護負荷装置（ＰＬＤ）がネットワークコンピューティングサーバーを含む実施例；
・プライマリ電源手段が三相電源システムから位相電圧を得る単相ラインを含む実施例；
・セカンダリ電源手段がソーラーパネル、燃料電池、フライホイール及び代替エネルギー源を含む群から選ばれたエネルギー源を更に有する実施例；
・セカンダリ電源手段がバッテリーを含む実施例；
・セカンダリ電源手段が鉛酸、リチウム・鉄、ニッケル・カドミウム、ナトリウム・硫黄、バナジウム・レドックス、及び塩基を含む化学グループから選ばれたものからなるバッテリーを含む実施例；
・プライマリ電源手段と直接電気的に連結された電力供給ユニットを更に有する実施例；
・デジタル制御切換えネットワークが手動バイパススイッチを更に有する実施例；
・デジタル制御切換えネットワークが自動バイパススイッチを更に有する実施例；
・デジタル制御切換えネットワークが冗長バイパススイッチを更に有する実施例；
・セカンダリ電源手段がバッテリーと充電用整流器とを更に有する実施例；
・セカンダリ電源手段がバッテリーチャージャー／バッテリーの組み合わせに給電する交流電源を更に含む実施例；
・セカンダリ電源手段がバッテリーチャージャー／バッテリーの組み合わせに給電する交流電源を更に含むと共に、バッテリーと直接電気的に連結された電力供給ユニットを更に組み入れている実施例；
・セカンダリ電源手段がバッテリーチャージャー／バッテリーの組み合わせに給電する交流電源を更に含むと共に、プライマリ電源手段と直接電気的に連結された電力供給ユニットを更に組み入れている実施例；
・電力供給ユニットに給電する第３（tertiary）の電源として配置されたバッテリーを更に含む実施例；
・電力供給ユニットに給電する第３（tertiary）の電源として配置されたバッテリーを更に含むと共に、プライマリ電源手段と直接電気的に連結された電力供給ユニットを更に組み入れている実施例；
・ソーラーパネル、燃料電池、フライホイール及び代替エネルギー源を含む群から選ばれたエネルギー源によって充電されるように配置されたバッテリーを更に有する実施例；
・セカンダリ電源手段がバッテリーチャージャー／バッテリーの組み合わせに給電する交流電源を更に含むと共に、セカンダリ電源手段と直接電気的に連結された電力供給ユニットと、電力供給ユニット及び交流電源と電気的に連結されたバイパススイッチとを更に組み入れている実施例；
・セカンダリ電源手段がバッテリーチャージャー／バッテリーの組み合わせに給電する交流電源を更に含むと共に、セカンダリ電源手段と直接電気的に連結された電力供給ユニットと、電力供給ユニット及び交流電源と電気的に連結されたバイパススイッチと、交流電源と直接電気的に連結された電力供給ユニットとを更に組み入れている実施例；
・プライマリ電源手段及びセカンダリ電源手段が三相電源を有する実施例；
・プライマリ電源手段が三相電源を有すると共に、セカンダリ電源手段がバッテリーを含む実施例；
・プライマリ電源手段が三相電源を有すると共に、セカンダリ電源手段がバッテリーとプライマリ電源装置の三相電源と電気的に連結された三相充電用整流器とを含む実施例；
・プライマリ電源手段が三相電源を有すると共に、セカンダリ電源手段がバッテリーと代替可能な他の三相電源と電気的に連結された三相充電用整流器とを含む実施例；
・プライマリ電源手段が三相電源を有し、セカンダリ電源手段がバッテリーを含むと共に、三相電源における単相と直接電気的に連結された電力供給ユニットを組み入れている実施例；
・プライマリ電源手段が三相電源を有し、セカンダリ電源手段がバッテリーと代替可能な他の三相電源と電気的に連結された三相充電用整流器とを含むと共に、三相電源における単相と直接電気的に連結された電力供給ユニットを組み入れている実施例；
・プライマリ電源手段が三相電源を有し、セカンダリ電源手段がバッテリーと代替可能な他の三相電源と電気的に連結された三相充電用整流器とを含むと共に、バッテリーにおける単相と直接電気的に連結された電力供給ユニットを組み入れている実施例；
・プライマリ電源手段が三相電源を有し、セカンダリ電源手段がバッテリーと代替可能な他の三相電源と電気的に連結された三相充電用整流器とを含むと共に、バッテリーと直接電気的に連結されていない電力供給ユニットを組み入れている実施例等が挙げられる。
【０１１０】
当業者は、上記説明による教示された実施例の組み合わせに基づく他の実施例を認識可能であろう。
【０１１１】
一般化されたコンピューター読み取り可能な記録媒体
様々な代替実施例では、本発明は、コンピューター化されたコンピューティングシステムによる利用のために、コンピュータープログラム製品として実施可能である。本発明において定義された機能を定義したプログラムは、（ａ）非書き込み可能な記憶媒体（例えばＲＯＭ或いはＣＤ−ＲＯＭディスク等の読み取り専用メモリデバイス）に格納された永久性情報、（ｂ）再書き込み式記憶媒体（例えばフロッピー（登録商標）ディスク又はハードドライブ）に格納された可変性情報、及び／又は（ｃ）例えばローカルエリアネットワーク（ＬＡＮ）、テレホンネットワーク、インターネットのような公衆通信回線を介する通信媒体を通じてコンピュータに伝達された情報など、適切なプログラミング言語で書かれ、何らかの形でコンピューターに届くものであることが当業者なら容易に理解されるだろう。本発明に係る方法を実施するためのコンピューター読み取り可能な指示プログラムが記録媒体を介して伝達される場合、そのコンピューター読み取り可能な記録媒体は本発明の代替実施例である。
【０１１２】
上記説明のように、本発明に係るシステム実施例は、様々なコンピューター読み取り可能な符号化手段を有するコンピューター利用可能な記録媒体を含む様々なコンピューター読み取り可能な記録媒体を組み入れることが可能である。
【０１１３】
ここで述べられた夫々のステップと関わっているソフトウェアがコンピュータが読み取り可能な記録媒体に内蔵されてもよく、コンピューターに読み取られて作動されることが当業者に理解されるだろう。なお、Beauregard 35  USPQ2d  1383（米国特許第5710578号)の記載に基づけば、本発明に係る予期可能且つ類似なタイプを含むコンピューター読み取り可能な記録媒体も、本発明の範囲にあることは当業者に理解されるところである。Nuijten  500  F.3d  1346  (Fed.Cir.2007) (米国特許出願第09/211928号)の記載に基づけば、発明の範囲はコンピュータが読み取り可能な記録媒体に制限されている。なお、かかる記録媒体は有形で一時的でないものである。
【０１１４】
結論
本発明は電源配置システム及びその方法であって、被保護負荷装置に対してデジタル制御された無停電電力供給装置を提供することができる。被保護負荷装置は開示されているように、一つ或いは複数の給電源によってサービスされた電力供給ユニットとして構成されている。本発明に係る電源配置システムは、それぞれの電源の状況を判定する電力状態検出（ＰＣＳ）回路によって監視される複数の給電源が含まれている。また、いずれかの給電源が利用不能な場合、給電源及び被保護負荷装置の連結を再構成して正確なルートを介して給電源から被保護負荷装置に電力を供給することができるように、この物理状態情報がデジタル制御切換えネットワークに用いられる。デジタル制御切換えネットワークは給電源から位相／電圧状態情報が入力された場合、給電源と被保護負荷装置との間の電流が同期的に流れることを確保することができると共に、給電源が切換えの間において適切に保護される。
【０１１５】
以上、本発明をいくつかの実施例をもとに説明した。これらの実施例はあくまで例示であり、実施例同士の任意の組み合わせ、実施例の各構成要素や各処理プロセスの任意の組み合わせなどの変形例もまた、本発明の範囲にあることは当業者に理解されるところである。
【符号の説明】
【０１１６】
０１００    システム
０１１０、０１１１、０１１９    給電源
０１２０    電力状態検出回路
０１３０    デジタル制御切換えネットワーク
０１４０、０１４１、０１４９    電力供給ユニット
０１５０、０１５１、０１５９    被保護負荷装置
０３００    電力状態検出器
０３１０    プライマリ電源
０３２０    ゼロ交差検出器
０３３０    クロック生成器
０３４０    ロッシー積分器ピーク検出器
０３５０    サンプル保持手段
０３６０    基準電圧生成器
０３７０    デジタルコンパレーター
０３８０、０３９０    フリップフロップ器
０４１０    プライマリ電源
０４１１    第１の正位相
０４１２    第１の負位相
０４１３    第２の正位相
０４１４    第２の負位相
０４１９    しきい値
０４２０    ゼロ交差検出器
０４２１、０４２３    正位相
０４２２、０４２４    負位相
０４３０    ロッシー積分器ピーク検出器
０４３１、０４３３    ピーク
０４３９    回路
０４４０    クロック生成器
０４４１、０４４３    エッジクロック
０４５０    電力良好信号
０４５１    電力良好状態
０４５３    電力不良状態
０４６０、０４７０    スイッチ
０４６１、０４６３、０４７１、０４７３    連結の有無
０５００、０５１０、０５２０    ゼロ交差検出器
０５１１、０５２１    給電源
０５１２    容量結合
０５２２    誘導結合
０５１３、０５２３    クリッピングネットワーク
０５１４、０５２４    デジタルコンパレーター
０５１５、０５２５    プルアップ抵抗
０５３０    模範的入力及び検出波形
０６１１    給電源
０６１３    クリッピング分圧器ネットワーク
０６１４    演算増幅器
０６１５    ロッシー積分器ピーク検出器
０６１６    基準電圧生成器
０６１７    デジタルコンパレーター
０６１８    クロック生成器
０６１９    フリップフロップ器
０６３０    タイミング波形
０７１０    電力制御器
０７２０    バッテリー切換えスイッチ
０７３０    バッテリーチャージャー
０７５０    交流・直流電力供給ユニット（ＰＳＵ）
０７７０    交流電源セレクター
０７８０    バイパススイッチ
０８３１、０８３２    リレー／接触器
０８３３    バイポーラトランジスタ
０８３４〜０８３８    ＭＯＳＦＥＴ
０８３６    整流器
０８３９    トライアック
０９００〜４８００    実施例
０９１１、０９１２、１１１１、１１１２、１３１１、１３１２、１５１１、１５１２、１７１１、１７１２、１９１１、２１１１、２１１２、２３１１、２３１２、２５１１、２５１２、２７１１、２７１２、２９１１、２９１２、３１１１、３１１２、３３１１、３３１２、３５１１、３５１２、３７１１、３７１２、３９１１、４３１１、４３１２、４５１１、４７１１、４７１２    三相（交流）電源
１９１３、２１１３、２３１３、２５１３、２７１３、２９１３、３１１３、３３１３、３９１３、４１１３、４５１３、４７１３    直流電源（バッテリー）
１９１４、２１１４、２３１４、２５１４、３３１４、４１１４、４３１４、４７１４    整流器
０８３０、０９２０、１１２０、１３２０、１５２０、１７２０、１９２０、２１２０、２３２０、２５２０、２７２０、２９２０、３１２０、３５２０、３７２０、３９２０、４１２０、４３１３、４５２０、４７２０    デジタル制御切換えネットワーク
０９３１、０９３２、１１３１、１１３２、１３３１〜１３３３、１５３１〜１５３３、１７３１〜１７３４、１９３１、１９３２、２１３１、２１３２、２３３１、２３３２、２５３１、２５３２、２７３１〜２７３３、２９３１〜２９３３、３１３１〜３１３３、３３３１〜３３３３、３５３１〜３５３３、３７３１〜３７３６、３９３１〜３９３６、４１３１〜４１３６、４３３１〜４３３６、４５３１〜４５３４、４７３１〜４７３３  スイッチ
０９４１、０９４２、１１４１〜１１４４、１３４１、１３４２、１５４１、１５４２、１７４１、１７４２、１９４１、１９４２、２１４１、２１４２、２３４１〜２３４４、２５４１〜２５４４、２７４１、２７４２、２９４１〜２９４４、３１４１、３１４２、３１１５〜３１１９、３３４１、３３４２、３５４１〜３５４４、３７４１〜３７４６、３９４１〜３９４６、４１４１〜４１４６、４３４１〜４３４６、４５４１〜４５４８、４７４１〜４７４８    電力供給ユニット
【図１】
0006272278.tif 000002
【図２】
0006272278.tif 000003
【図３】
0006272278.tif 000004
【図４】
0006272278.tif 000005
【図５】
0006272278.tif 000006
【図６】
0006272278.tif 000007
【図７】
0006272278.tif 000008
【図８】
0006272278.tif 000009
【図９】
0006272278.tif 000010
【図１０】
0006272278.tif 000011
【図１１】
0006272278.tif 000012
【図１２】
0006272278.tif 000013
【図１３】
0006272278.tif 000014
【図１４】
0006272278.tif 000015
【図１５】
0006272278.tif 000016
【図１６】
0006272278.tif 000017
【図１７】
0006272278.tif 000018
【図１８】
0006272278.tif 000019
【図１９】
0006272278.tif 000020
【図２０】
0006272278.tif 000021
【図２１】
0006272278.tif 000022
【図２２】
0006272278.tif 000023
【図２３】
0006272278.tif 000024
【図２４】
0006272278.tif 000025
【図２５】
0006272278.tif 000026
【図２６】
0006272278.tif 000027
【図２７】
0006272278.tif 000028
【図２８】
0006272278.tif 000029
【図２９】
0006272278.tif 000030
【図３０】
0006272278.tif 000031
【図３１】
0006272278.tif 000032
【図３２】
0006272278.tif 000033
【図３３】
0006272278.tif 000034
【図３４】
0006272278.tif 000035
【図３５】
0006272278.tif 000036
【図３６】
0006272278.tif 000037
【図３７】
0006272278.tif 000038
【図３８】
0006272278.tif 000039
【図３９】
0006272278.tif 000040
【図４０】
0006272278.tif 000041
【図４１】
0006272278.tif 000042
【図４２】
0006272278.tif 000043
【図４３】
0006272278.tif 000044
【図４４】
0006272278.tif 000045
【図４５】
0006272278.tif 000046
【図４６】
0006272278.tif 000047
【図４７】
0006272278.tif 000048
【図４８】
0006272278.tif 000049